(57)【特許請求の範囲】
【請求項１】
第１の数のデータトーン上で符号化されたトレーニングフィールドと、ここにおいて、前記トレーニングフィールドがレガシーロングトレーニングフィールドを備える、
前記トレーニングフィールドにスペクトル的に隣接する１つまたは複数の第１のエッジトーンと、ここにおいて、前記１つまたは複数の第１のエッジトーンがデータを搬送する、
前記トレーニングフィールドに時間的に隣接するレガシー信号フィールドであって、第２の数のデータトーンおよび前記第２の数のデータトーンにスペクトル的に隣接する１つまたは複数の第２のエッジトーン上で符号化されたレガシー信号フィールドを備える信号フィールドと、ここにおいて、前記１つまたは複数の第２のエッジトーンがチャネル推定のために使用されるデータを搬送する、
前記第２の数のデータトーンおよび前記１つまたは複数の第２のエッジトーン上で符号化された前記レガシー信号フィールドの繰り返しを備える繰り返されるレガシー信号フィールドと、ここにおいて、前記繰り返されるレガシー信号フィールドの前記１つまたは複数の第２のエッジトーンがチャネル推定のために使用されるデータを搬送する、
を複数の２０ＭＨｚサブチャネルの各々について備えるパケットをワイヤレスデバイスにおいて生成することと、
第２のデバイスへの送信のために前記パケットを出力することと、
ここにおいて、前記１つまたは複数の第２のエッジトーンが、前記複数の２０ＭＨｚサブチャネルの各々の各エッジにおいて２つのトーンを備え、前記１つまたは複数の第２のエッジトーンが、前記信号フィールドの送信中のピーク対平均電力比を最小限に抑えるのに十分な値を有する、
を備える、ワイヤレス通信の方法。
【請求項２】
前記第１の数が５２であり、前記第２の数が５２である、請求項１に記載の方法。
【請求項３】
データを搬送する前記１つまたは複数の第２のエッジトーンの極性が、高スループットロングトレーニングシーケンスの少なくとも一部分を示す、請求項１に記載の方法。
【請求項４】
前記１つまたは複数の第２のエッジトーンのパターンが追加のデータを示す、請求項１に記載の方法。
【請求項５】
前記１つまたは複数の第２のエッジトーンが、複数の２０ＭＨｚサブチャネルの各々の各下側エッジにおいて２つの正極性トーンを備え、前記複数の２０ＭＨｚサブチャネルの各々の各上側エッジにおいて２つの負極性トーンを備える、請求項４に記載の方法。
【請求項６】
命令を記憶するメモリと、
前記メモリと結合され、パケットを生成するために前記命令を実行するように構成されたプロセッサと、ここにおいて、前記パケットは、
第１の数のデータトーン上で符号化されたトレーニングフィールドと、前記トレーニングフィールドがレガシーロングトレーニングフィールドを備える、
前記トレーニングフィールドにスペクトル的に隣接する１つまたは複数の第１のエッジトーンと、ここにおいて、前記１つまたは複数の第１のエッジトーンがデータを搬送する、
前記トレーニングフィールドに時間的に隣接するレガシー信号フィールドであって、第２の数のデータトーンおよび前記第２の数のデータトーンにスペクトル的に隣接する１つまたは複数の第２のエッジトーン上で符号化されたレガシー信号フィールドを備える信号フィールドと、ここにおいて、前記１つまたは複数の第２のエッジトーンがチャネル推定のために使用されるデータを搬送する、
前記第２の数のデータトーンおよび前記１つまたは複数の第２のエッジトーン上で符号化された前記レガシー信号フィールドの繰り返しを備える繰り返されるレガシー信号フィールドと、ここにおいて、前記繰り返されるレガシー信号フィールドの前記１つまたは複数の第２のエッジトーンがチャネル推定のために使用されるデータを搬送する、
を複数の２０ＭＨｚサブチャネルの各々について備える、
前記パケットを第２のデバイスに送信するように構成された送信機と、
ここにおいて、前記１つまたは複数の第２のエッジトーンが、前記複数の２０ＭＨｚサブチャネルの各々の各エッジにおいて２つのトーンを備え、前記１つまたは複数の第２のエッジトーンが、前記信号フィールドの送信中のピーク対平均電力比を最小限に抑えるのに十分な値を有する、
を備える、ワイヤレス通信するように構成された装置。
【請求項７】
前記第１の数が５２であり、前記第２の数が５２である、請求項６に記載の装置。
【請求項８】
データを搬送する前記１つまたは複数の第２のエッジトーンの極性が、後続のフィールドの変調およびコーディング方式（ＭＣＳ）、遅延拡散保護モード、ならびにパケット送信モードのうちの少なくとも１つを示す、請求項６に記載の装置。
【請求項９】
前記１つまたは複数の第２のエッジトーンのパターンが追加のデータを示す、請求項６に記載の装置。
【請求項１０】
前記１つまたは複数の第２のエッジトーンが、複数の２０ＭＨｚサブチャネルの各々の各下側エッジにおいて２つの正極性トーンを備え、前記複数の２０ＭＨｚサブチャネルの各々の各上側エッジにおいて２つの負極性トーンを備える、請求項９に記載の装置。
【請求項１１】
第１の数のデータトーン上で符号化されたトレーニングフィールドと、前記トレーニングフィールドがレガシーロングトレーニングフィールドを備える、
前記トレーニングフィールドにスペクトル的に隣接する１つまたは複数の第１のエッジトーンと、ここにおいて、前記１つまたは複数の第１のエッジトーンがデータを搬送する、
前記トレーニングフィールドに時間的に隣接するレガシー信号フィールドであって、第２の数のデータトーンおよび前記第２の数のデータトーンにスペクトル的に隣接する１つまたは複数の第２のエッジトーン上で符号化されたレガシー信号フィールドを備える信号フィールドと、ここにおいて、前記１つまたは複数の第２のエッジトーンがチャネル推定のために使用されるデータを搬送する、
前記第２の数のデータトーンおよび前記１つまたは複数の第２のエッジトーン上で符号化された前記レガシー信号フィールドの繰り返しを備える繰り返されるレガシー信号フィールドと、ここにおいて、前記繰り返されるレガシー信号フィールドの前記１つまたは複数の第２のエッジトーンがチャネル推定のために使用されるデータを搬送する、
を複数の２０ＭＨｚサブチャネルの各々について備えるパケットを生成するための手段と、
第２のデバイスへの送信のために前記パケットを出力するための手段と、
ここにおいて、前記１つまたは複数の第２のエッジトーンが、前記複数の２０ＭＨｚサブチャネルの各々の各エッジにおいて２つのトーンを備え、前記１つまたは複数の第２のエッジトーンが、前記信号フィールドの送信中のピーク対平均電力比を最小限に抑えるのに十分な値を有する、
を備える、ワイヤレス通信のための装置。
【請求項１２】
前記第１の数が５２であり、前記第２の数が５２である、請求項１１に記載の装置。
【請求項１３】
データを搬送する前記１つまたは複数の第２のエッジトーンの極性が、後続のフィールドの変調およびコーディング方式（ＭＣＳ）、遅延拡散保護モード、ならびにパケット送信モードのうちの少なくとも１つを示す、請求項１１に記載の装置。
【請求項１４】
データを搬送する前記１つまたは複数の第２のエッジトーンの極性が、高スループットロングトレーニングシーケンスの少なくとも一部分を示す、請求項１１に記載の装置。
【請求項１５】
前記１つまたは複数の第２のエッジトーンのパターンが追加のデータを示す、請求項１１に記載の装置。
【請求項１６】
実行されたとき、装置に、
第１の数のデータトーン上で符号化されたトレーニングフィールドと、前記トレーニングフィールドがレガシーロングトレーニングフィールドを備える、
前記トレーニングフィールドにスペクトル的に隣接する１つまたは複数の第１のエッジトーンと、ここにおいて、前記１つまたは複数の第１のエッジトーンがデータを搬送する、
前記トレーニングフィールドに時間的に隣接するレガシー信号フィールドであって、第２の数のデータトーンおよび前記第２の数のデータトーンにスペクトル的に隣接する１つまたは複数の第２のエッジトーン上で符号化されたレガシー信号フィールドを備える信号フィールドと、ここにおいて、前記１つまたは複数の第２のエッジトーンがチャネル推定のために使用されるデータを搬送する、
前記第２の数のデータトーンおよび前記１つまたは複数の第２のエッジトーン上で符号化された前記レガシー信号フィールドの繰り返しを備える繰り返されるレガシー信号フィールドと、ここにおいて、前記繰り返されるレガシー信号フィールドの前記１つまたは複数の第２のエッジトーンがチャネル推定のために使用されるデータを搬送する、
を複数の２０ＭＨｚサブチャネルの各々について備えるパケットを生成することと、
第２のデバイスへの送信のために前記パケットを出力することと、
ここにおいて、前記１つまたは複数の第２のエッジトーンが、前記複数の２０ＭＨｚサブチャネルの各々の各エッジにおいて２つのトーンを備え、前記１つまたは複数の第２のエッジトーンが、前記信号フィールドの送信中のピーク対平均電力比を最小限に抑えるのに十分な値を有する、
を行わせるコードを備える非一時的コンピュータ可読記憶媒体。
【請求項１７】
前記１つまたは複数の第１のエッジトーンが４つである、請求項１に記載の方法。
【請求項１８】
前記１つまたは複数の第２のエッジトーンが４つである、請求項１に記載の方法。
【発明の詳細な説明】
【技術分野】
【０００１】
[0001]本開示のいくつかの態様は、一般にワイヤレス通信に関し、より詳細には、ワイヤレス通信における高効率ワイヤレス（ＨＥＷ：high efficiency wireless）パケットの早期検出のための方法および装置に関する。
【背景技術】
【０００２】
[0002]多くの電気通信システムでは、通信ネットワークは、いくつかの対話している空間的に分離されたデバイスの間でメッセージを交換するために使用される。ワイヤレスネットワークは、しばしば、ネットワーク要素がモバイルであり、したがって動的接続性の必要を有するときに、またはネットワークアーキテクチャが、固定ではなくアドホックトポロジーで形成される場合に好適である。
【０００３】
[0003]より速く、より効率的なワイヤレス通信プロトコルが開発されるにつれて（as）、異なるＷｉＦｉ（登録商標）規格間の互換性を保証するために、異なるワイヤレス通信プロトコルを区別すること（differentiating between）が必要になる。データパケットの残余を構成またはパースするためのデータが、データパケットのプリアンブルのもう１つのフィールドまたはシンボル中に含まれ得る（can）ので、受信デバイスが、できるだけ少しのプリアンブルの受信および処理の後に、受信されたデータパケットの通信プロトコルを決定することが可能であることが望ましいことがある。したがって、ワイヤレス通信における高効率ワイヤレス（ＨＥＷ）パケットの早期検出のための方法および装置が必要である。
【発明の概要】
【０００４】
[0004]添付の特許請求の範囲内のシステム、方法およびデバイスの様々な実装形態は、それぞれいくつかの態様を有し、それらのうちの単一の態様が、単独で、本明細書で説明される望ましい属性を担当するとは限らない。添付の特許請求の範囲を限定することなしに、いくつかの特徴が本明細書で説明される。
【０００５】
[0005]本明細書で説明される主題の１つまたは複数の実装形態の詳細が、添付の図面および以下の説明に記載されている。他の特徴、態様、および利点は、説明、図面、および特許請求の範囲から明らかになるであろう。以下の図の相対寸法は一定の縮尺で描かれていないことがあることに留意されたい。
【０００６】
[0006]一態様は、ワイヤレス通信の方法を提供する。本方法は、第１の数のトーン上の第１のフィールドと、第２の数のトーン上の第２のフィールドとを含むパケットをワイヤレスデバイスにおいて受信することを含む。第２の数のトーンは、データを搬送する１つまたは複数のエッジトーンの数だけ、第１の数のトーンよりも大きい。本方法は、データを搬送する１つまたは複数のエッジトーンに少なくとも部分的に基づいて、通信モードおよびチャネル推定のうちの少なくとも１つを決定することをさらに含む。
【０００７】
[0007]様々な実施形態では、第１の数は５２であり、第２の数は５６である。様々な実施形態では、トレーニングフィールドはレガシーショートトレーニングフィールドを含むことができ、信号フィールドはレガシーロングトレーニングフィールドを含むことができる。様々な実施形態では、データを搬送する１つまたは複数のエッジトーンの極性が、後続の（subsequent）フィールドの変調およびコーディング方式（ＭＣＳ：modulation and coding scheme）、遅延拡散保護モード、ならびにパケット送信モードのうちの少なくとも１つを示す。
【０００８】
[0008]様々な実施形態では、データを搬送する１つまたは複数のエッジトーンの極性が、高スループットロングトレーニングシーケンスの少なくとも一部分を示す。様々な実施形態では、１つまたは複数のエッジトーンのパターンが追加のデータを示す。様々な実施形態では、本方法は、第２の数のトーン上で、繰り返されるレガシー信号フィールドを受信することをさらに含むことができ、ここにおいて、繰り返されるレガシー信号フィールドの１つまたは複数のエッジトーンがデータを搬送する。
【０００９】
[0009]様々な実施形態では、トレーニングフィールドはレガシーロングトレーニングフィールドを含むことができ、信号フィールドはレガシー信号フィールドを含むことができる。様々な実施形態では、ワイヤレスデバイスは移動局であり得、移動局は、移動局をサービスするアクセスポイントから、移動局の受信機およびアンテナを通して、パケットを受信するように構成され得る。
【００１０】
[0010]様々な実施形態では、１つまたは複数のエッジトーンは、複数の２０ＭＨｚサブチャネルの各々の各下側（lower）エッジにおいて２つの正極性トーンを含み、複数の２０ＭＨｚサブチャネルの各々の各上側（upper）エッジにおいて２つの負極性トーンを含むことができる。様々な実施形態では、１つまたは複数のエッジトーンは、複数の２０ＭＨｚサブチャネルの各々の各エッジにおいて２つのトーンを含むことができ、１つまたは複数のエッジトーンは、第２のフィールドの送信中のピーク対平均電力比を最小限に抑える（minimize）のに十分な値を有する。
【００１１】
[0011]別の態様は、ワイヤレス通信するように構成された装置を提供する。本装置は、第１の数のトーン上の第１のフィールドと、第２の数のトーン上の第２のフィールドとを含むパケットを受信するように構成された受信機を含む。第２の数のトーンは、データを搬送する１つまたは複数のエッジトーンの数だけ、第１の数のトーンよりも大きい。本装置は、命令を記憶するメモリをさらに含む。本装置は、メモリと結合され、データを搬送する１つまたは複数のエッジトーンに少なくとも部分的に基づいて、通信モードおよびチャネル推定のうちの少なくとも１つを決定するために命令を実行するように構成されたプロセッサをさらに含む。
【００１２】
[0012]様々な実施形態では、第１の数は５２であり、第２の数は５６である。様々な実施形態では、トレーニングフィールドはレガシーショートトレーニングフィールドを含むことができ、信号フィールドはレガシーロングトレーニングフィールドを含むことができる。様々な実施形態では、データを搬送する１つまたは複数のエッジトーンの極性が、後続のフィールドの変調およびコーディング方式（ＭＣＳ）、遅延拡散保護モード、ならびにパケット送信モードのうちの少なくとも１つを示す。
【００１３】
[0013]様々な実施形態では、データを搬送する１つまたは複数のエッジトーンの極性が、高スループットロングトレーニングシーケンスの少なくとも一部分を示す。様々な実施形態では、１つまたは複数のエッジトーンのパターンが追加のデータを示す。様々な実施形態では、受信機は、第２の数のトーン上でレガシー信号フィールドを受信するようにさらに構成され得、レガシー信号フィールドの１つまたは複数のエッジトーンはデータを搬送することができる。
【００１４】
[0014]様々な実施形態では、トレーニングフィールドはレガシーロングトレーニングフィールドを含むことができ、信号フィールドはレガシー信号フィールドを含むことができる。様々な実施形態では、本装置は移動局であり得、プロセッサは、移動局をサービスするアクセスポイントから、移動局の受信機およびアンテナを通して、パケットを受信するように構成され得る。
【００１５】
[0015]様々な実施形態では、１つまたは複数のエッジトーンは、複数の２０ＭＨｚサブチャネルの各々の各下側エッジにおいて２つの正極性トーンを含み、複数の２０ＭＨｚサブチャネルの各々の各上側エッジにおいて２つの負極性トーンを含むことができる。様々な実施形態では、１つまたは複数のエッジトーンは、複数の２０ＭＨｚサブチャネルの各々の各エッジにおいて２つのトーンを含むことができ、１つまたは複数のエッジトーンは、第２のフィールドの送信中のピーク対平均電力比を最小限に抑えるのに十分な値を有する。
【００１６】
[0016]別の態様は、ワイヤレス通信のための別の装置を提供する。本装置は、第１の数のトーン上の第１のフィールドと、第２の数のトーン上の第２のフィールドとを含むパケットを受信するための手段を含む。第２の数のトーンは、データを搬送する１つまたは複数のエッジトーンの数だけ、第１の数のトーンよりも大きい。本装置は、データを搬送する１つまたは複数のエッジトーンに少なくとも部分的に基づいて、通信モードおよびチャネル推定のうちの少なくとも１つを決定するための手段をさらに含む。
【００１７】
[0017]様々な実施形態では、第１の数は５２であり、第２の数は５６である。様々な実施形態では、トレーニングフィールドはレガシーショートトレーニングフィールドを含むことができ、信号フィールドはレガシーロングトレーニングフィールドを含むことができる。様々な実施形態では、データを搬送する１つまたは複数のエッジトーンの極性が、後続のフィールドの変調およびコーディング方式（ＭＣＳ）、遅延拡散保護モード、ならびにパケット送信モードのうちの少なくとも１つを示す。
【００１８】
[0018]様々な実施形態では、データを搬送する１つまたは複数のエッジトーンの極性が、高スループットロングトレーニングシーケンスの少なくとも一部分を示す。様々な実施形態では、１つまたは複数のエッジトーンのパターンが追加のデータを示す。様々な実施形態では、本装置は、第２の数のトーン上でレガシー信号フィールドを受信するための手段をさらに含むことができ、レガシー信号フィールドの１つまたは複数のエッジトーンはデータを搬送することができる。
【００１９】
[0019]様々な実施形態では、トレーニングフィールドはレガシーロングトレーニングフィールドを含むことができ、信号フィールドはレガシー信号フィールドを含むことができる。様々な実施形態では、１つまたは複数のエッジトーンは、複数の２０ＭＨｚサブチャネルの各々の各下側エッジにおいて２つの正極性トーンを含み、複数の２０ＭＨｚサブチャネルの各々の各上側エッジにおいて２つの負極性トーンを含むことができる。様々な実施形態では、１つまたは複数のエッジトーンは、複数の２０ＭＨｚサブチャネルの各々の各エッジにおいて２つのトーンを含むことができ、１つまたは複数のエッジトーンは、第２のフィールドの送信中のピーク対平均電力比を最小限に抑えるのに十分な値を有する。
【００２０】
[0020]別の態様は、非一時的コンピュータ可読媒体を提供する。本媒体は、実行されたとき、装置に、第１の数のトーン上の第１のフィールドと、第２の数のトーン上の第２のフィールドとを含むパケットを受信することを行わせるコードを含む。第２の数のトーンは、データを搬送する１つまたは複数のエッジトーンの数だけ、第１の数のトーンよりも大きい。本媒体は、実行されたとき、装置に、データを搬送する１つまたは複数のエッジトーンに少なくとも部分的に基づいて、通信モードおよびチャネル推定のうちの少なくとも１つを決定することを行わせるコードをさらに含む。
【００２１】
[0021]様々な実施形態では、第１の数は５２であり、第２の数は５６である。様々な実施形態では、トレーニングフィールドはレガシーショートトレーニングフィールドを含むことができ、信号フィールドはレガシーロングトレーニングフィールドを含むことができる。様々な実施形態では、データを搬送する１つまたは複数のエッジトーンの極性が、後続のフィールドの変調およびコーディング方式（ＭＣＳ）、遅延拡散保護モード、ならびにパケット送信モードのうちの少なくとも１つを示す。
【００２２】
[0022]様々な実施形態では、データを搬送する１つまたは複数のエッジトーンの極性が、高スループットロングトレーニングシーケンスの少なくとも一部分を示す。様々な実施形態では、１つまたは複数のエッジトーンのパターンが追加のデータを示す。様々な実施形態では、本媒体は、実行するとき、装置に、第２の数のトーン上で、繰り返されるレガシー信号フィールドを受信することを行わせるコードをさらに含むことができ、ここにおいて、繰り返されるレガシー信号フィールドの１つまたは複数のエッジトーンがデータを搬送する。
【００２３】
[0023]様々な実施形態では、トレーニングフィールドはレガシーロングトレーニングフィールドを含むことができ、信号フィールドはレガシー信号フィールドを含むことができる。様々な実施形態では、装置は移動局であり得、移動局は、移動局をサービスするアクセスポイントから、移動局の受信機およびアンテナを通して、パケットを受信するように構成され得る。
【００２４】
[0024]様々な実施形態では、１つまたは複数のエッジトーンは、複数の２０ＭＨｚサブチャネルの各々の各下側エッジにおいて２つの正極性トーンを含み、複数の２０ＭＨｚサブチャネルの各々の各上側エッジにおいて２つの負極性トーンを含むことができる。様々な実施形態では、１つまたは複数のエッジトーンは、複数の２０ＭＨｚサブチャネルの各々の各エッジにおいて２つのトーンを含むことができ、１つまたは複数のエッジトーンは、第２のフィールドの送信中のピーク対平均電力比を最小限に抑えるのに十分な値を有する。
【００２５】
[0025]別の態様は、ワイヤレス通信の別の方法を提供する。本方法は、第１の数のトーン上の第１のフィールドと、第２の数のトーン上の第２のフィールドとを含むパケットをワイヤレスデバイスにおいて生成することを含む。第２の数のトーンは、データを搬送する１つまたは複数のエッジトーンの数だけ、第１の数のトーンよりも大きい。通信モードおよびチャネル推定のうちの少なくとも１つを示すデータ。本方法は、通信モードに従ってパケットを送信することをさらに含む。
【００２６】
[0026]様々な実施形態では、第１の数は５２であり、第２の数は５６である。様々な実施形態では、トレーニングフィールドはレガシーショートトレーニングフィールドを含むことができ、信号フィールドはレガシーロングトレーニングフィールドを含むことができる。様々な実施形態では、データを搬送する１つまたは複数のエッジトーンの極性が、後続のフィールドの変調およびコーディング方式（ＭＣＳ）、遅延拡散保護モード、ならびにパケット送信モードのうちの少なくとも１つを示す。
【００２７】
[0027]様々な実施形態では、データを搬送する１つまたは複数のエッジトーンの極性が、高スループットロングトレーニングシーケンスの少なくとも一部分を示す。様々な実施形態では、１つまたは複数のエッジトーンのパターンが追加のデータを示す。様々な実施形態では、本方法は、第２の数のトーン上で、繰り返されるレガシー信号フィールドを送信することをさらに含むことができ、ここにおいて、繰り返されるレガシー信号フィールドの１つまたは複数のエッジトーンがデータを搬送する。
【００２８】
[0028]様々な実施形態では、トレーニングフィールドはレガシーロングトレーニングフィールドを含むことができ、信号フィールドはレガシー信号フィールドを含むことができる。様々な実施形態では、ワイヤレスデバイスはアクセスポイントであり得、アクセスポイントは、移動局をサービスするアクセスポイントから移動局に、アクセスポイントの送信機およびアンテナを通して、パケットを送信するように構成され得る。
【００２９】
[0029]様々な実施形態では、１つまたは複数のエッジトーンは、複数の２０ＭＨｚサブチャネルの各々の各下側エッジにおいて２つの正極性トーンを含み、複数の２０ＭＨｚサブチャネルの各々の各上側エッジにおいて２つの負極性トーンを含むことができる。様々な実施形態では、１つまたは複数のエッジトーンは、複数の２０ＭＨｚサブチャネルの各々の各エッジにおいて２つのトーンを含むことができ、１つまたは複数のエッジトーンは、第２のフィールドの送信中のピーク対平均電力比を最小限に抑えるのに十分な値を有する。
【００３０】
[0030]別の態様は、ワイヤレス通信するように構成された別の装置を提供する。本装置は、命令を記憶するメモリを含む。本装置は、メモリと結合され、第１の数のトーン上の第１のフィールドと、第２の数のトーン上の第２のフィールドとを含むパケットを生成するための命令を実行するように構成されたプロセッサをさらに含む。第２の数のトーンは、データを搬送する１つまたは複数のエッジトーンの数だけ、第１の数のトーンよりも大きい。通信モードおよびチャネル推定のうちの少なくとも１つを示すデータ。本装置は、通信モードに従ってパケットを送信するように構成された送信機をさらに含む。
【００３１】
[0031]様々な実施形態では、第１の数は５２であり、第２の数は５６である。様々な実施形態では、トレーニングフィールドはレガシーショートトレーニングフィールドを含むことができ、信号フィールドはレガシーロングトレーニングフィールドを含むことができる。様々な実施形態では、データを搬送する１つまたは複数のエッジトーンの極性が、後続のフィールドの変調およびコーディング方式（ＭＣＳ）、遅延拡散保護モード、ならびにパケット送信モードのうちの少なくとも１つを示す。
【００３２】
[0032]様々な実施形態では、データを搬送する１つまたは複数のエッジトーンの極性が、高スループットロングトレーニングシーケンスの少なくとも一部分を示す。様々な実施形態では、１つまたは複数のエッジトーンのパターンが追加のデータを示す。様々な実施形態では、送信機は、第２の数のトーン上でレガシー信号フィールドを送信するようにさらに構成され得、レガシー信号フィールドの１つまたは複数のエッジトーンはデータを搬送することができる。
【００３３】
[0033]様々な実施形態では、トレーニングフィールドはレガシーロングトレーニングフィールドを含むことができ、信号フィールドはレガシー信号フィールドを含むことができる。様々な実施形態では、ワイヤレスデバイスはアクセスポイントであり得、プロセッサは、移動局をサービスするアクセスポイントから移動局に、アクセスポイントの送信機およびアンテナを通して、パケットを送信するように構成され得る。様々な実施形態では、ワイヤレスデバイスはアクセスポイントであり得、プロセッサは、移動局をサービスするアクセスポイントから移動局に、アクセスポイントの送信機およびアンテナを通して、パケットを送信するように構成され得る。
【００３４】
[0034]様々な実施形態では、１つまたは複数のエッジトーンは、複数の２０ＭＨｚサブチャネルの各々の各下側エッジにおいて２つの正極性トーンを含み、複数の２０ＭＨｚサブチャネルの各々の各上側エッジにおいて２つの負極性トーンを含むことができる。様々な実施形態では、１つまたは複数のエッジトーンは、複数の２０ＭＨｚサブチャネルの各々の各エッジにおいて２つのトーンを含むことができ、１つまたは複数のエッジトーンは、第２のフィールドの送信中のピーク対平均電力比を最小限に抑えるのに十分な値を有する。
【００３５】
[0035]別の態様は、ワイヤレス通信のための別の装置を提供する。本装置は、第１の数のトーン上の第１のフィールドと、第２の数のトーン上の第２のフィールドとを含むパケットを生成するための手段を含む。第２の数のトーンは、データを搬送する１つまたは複数のエッジトーンの数だけ、第１の数のトーンよりも大きい。通信モードおよびチャネル推定のうちの少なくとも１つを示すデータ。本装置は、通信モードに従ってパケットを送信するための手段をさらに含む。
【００３６】
[0036]様々な実施形態では、第１の数は５２であり、第２の数は５６である。様々な実施形態では、トレーニングフィールドはレガシーショートトレーニングフィールドを含むことができ、信号フィールドはレガシーロングトレーニングフィールドを含むことができる。様々な実施形態では、データを搬送する１つまたは複数のエッジトーンの極性が、後続のフィールドの変調およびコーディング方式（ＭＣＳ）、遅延拡散保護モード、ならびにパケット送信モードのうちの少なくとも１つを示す。
【００３７】
[0037]様々な実施形態では、データを搬送する１つまたは複数のエッジトーンの極性が、高スループットロングトレーニングシーケンスの少なくとも一部分を示す。様々な実施形態では、１つまたは複数のエッジトーンのパターンが追加のデータを示す。様々な実施形態では、本装置は、第２の数のトーン上でレガシー信号フィールドを送信するための手段をさらに含むことができ、レガシー信号フィールドの１つまたは複数のエッジトーンはデータを搬送することができる。
【００３８】
[0038]様々な実施形態では、トレーニングフィールドはレガシーロングトレーニングフィールドを含むことができ、信号フィールドはレガシー信号フィールドを含むことができる。様々な実施形態では、ワイヤレスデバイスはアクセスポイントであり得、アクセスポイントは、移動局をサービスするアクセスポイントから移動局に、アクセスポイントの送信機およびアンテナを通して、パケットを送信するように構成され得る。
【００３９】
[0039]様々な実施形態では、１つまたは複数のエッジトーンは、複数の２０ＭＨｚサブチャネルの各々の各下側エッジにおいて２つの正極性トーンを含み、複数の２０ＭＨｚサブチャネルの各々の各上側エッジにおいて２つの負極性トーンを含むことができる。様々な実施形態では、１つまたは複数のエッジトーンは、複数の２０ＭＨｚサブチャネルの各々の各エッジにおいて２つのトーンを含むことができ、１つまたは複数のエッジトーンは、第２のフィールドの送信中のピーク対平均電力比を最小限に抑えるのに十分な値を有する。
【００４０】
[0040]別の態様は、別の非一時的コンピュータ可読媒体を提供する。本媒体は、実行されたとき、装置に、第１の数のトーン上の第１のフィールドと、第２の数のトーン上の第２のフィールドとを含むパケットを生成することを行わせるコードを含む。第２の数のトーンは、データを搬送する１つまたは複数のエッジトーンの数だけ、第１の数のトーンよりも大きい。通信モードおよびチャネル推定のうちの少なくとも１つを示すデータ。本媒体は、実行されたとき、装置に、通信モードに従ってパケットを送信することを行わせるコードをさらに含む。
【００４１】
[0041]様々な実施形態では、第１の数は５２であり、第２の数は５６である。様々な実施形態では、トレーニングフィールドはレガシーショートトレーニングフィールドを含むことができ、信号フィールドはレガシーロングトレーニングフィールドを含むことができる。様々な実施形態では、データを搬送する１つまたは複数のエッジトーンの極性が、後続のフィールドの変調およびコーディング方式（ＭＣＳ）、遅延拡散保護モード、ならびにパケット送信モードのうちの少なくとも１つを示す。
【００４２】
[0042]様々な実施形態では、データを搬送する１つまたは複数のエッジトーンの極性が、高スループットロングトレーニングシーケンスの少なくとも一部分を示す。様々な実施形態では、１つまたは複数のエッジトーンのパターンが追加のデータを示す。様々な実施形態では、本媒体は、実行されたとき、装置に、第２の数のトーン上でレガシー信号フィールドを送信することを行わせるコードをさらに含むことができ、レガシー信号フィールドの１つまたは複数のエッジトーンはデータを搬送することができる。
【００４３】
[0043]様々な実施形態では、トレーニングフィールドはレガシーロングトレーニングフィールドを含むことができ、信号フィールドはレガシー信号フィールドを含むことができる。様々な実施形態では、ワイヤレスデバイスはアクセスポイントであり得、アクセスポイントは、移動局をサービスするアクセスポイントから移動局に、アクセスポイントの送信機およびアンテナを通して、パケットを送信するように構成され得る。
【００４４】
[0044]様々な実施形態では、１つまたは複数のエッジトーンは、複数の２０ＭＨｚサブチャネルの各々の各下側エッジにおいて２つの正極性トーンを含み、複数の２０ＭＨｚサブチャネルの各々の各上側エッジにおいて２つの負極性トーンを含むことができる。様々な実施形態では、１つまたは複数のエッジトーンは、複数の２０ＭＨｚサブチャネルの各々の各エッジにおいて２つのトーンを含むことができ、１つまたは複数のエッジトーンは、第２のフィールドの送信中のピーク対平均電力比を最小限に抑えるのに十分な値を有する。
【図面の簡単な説明】
【００４５】
【図１】[0045]本開示の態様が採用され得るワイヤレス通信システムの一例を示す図。
【図２】[0046]図１のワイヤレス通信システム内で採用され得るワイヤレスデバイスにおいて利用され得る様々な構成要素を示す図。
【図３】[0047]８０２．１１ａｃワイヤレス通信プロトコルに従って符号化された物理レイヤデータユニット（ＰＰＤＵ：physical layer data unit）パケットのプリアンブルの図。
【図４】[0048]８０２．１１ｎワイヤレス通信プロトコルに従って符号化された物理レイヤデータユニット（ＰＰＤＵ）パケットのプリアンブルの図。
【図５】[0049]８０２．１１ａワイヤレス通信プロトコルに従って符号化された物理レイヤデータユニット（ＰＰＤＵ）パケットのプリアンブルの図。
【図６】[0050]例示的な実装形態による、物理レイヤデータユニット（ＰＰＤＵ）パケットの高効率ワイヤレス（ＨＥＷ）プリアンブルの図。
【図７】[0051]図６に示されているＨＥＷプリアンブルの第１および第２のＨＥ−ＳＩＧ０シンボルのより詳細な図。
【図８】[0052]別の例示的な実装形態による、物理レイヤデータユニット（ＰＰＤＵ）パケットの高効率ワイヤレス（ＨＥＷ）プリアンブルの図。
【図９Ａ】[0053]別の例示的な実装形態による、物理レイヤデータユニット（ＰＰＤＵ）パケットの高効率ワイヤレス（ＨＥＷ）プリアンブルの図。
【図９Ｂ】[0054]別の例示的な実装形態による、高効率ワイヤレス（ＨＥＷ）物理レイヤデータユニット（ＰＰＤＵ）パケットの図。
【図１０】[0055]様々な実施形態による、例示的な高効率（ＨＥ）信号（ＳＩＧ）フィールドを示す図。
【図１１】[0056]様々な実施形態における信号対雑音比（ＳＮＲ）の関数としての例示的なパケット誤り率（ＰＥＲ：packet error rate）を示すグラフ。
【図１２】[0057]図１のワイヤレス通信システム１００内で採用され得るワイヤレス通信の例示的な方法のためのフローチャート。
【図１３】[0058]図１のワイヤレス通信システム１００内で採用され得るワイヤレス通信の例示的な方法のための別のフローチャート。
【発明を実施するための形態】
【００４６】
[0059]添付の図面を参照しながら、新規のシステム、装置、および方法の様々な態様が以下でより十分に説明される。ただし、教示開示は、多くの異なる形態で実施され得、本開示全体にわたって提示されるいずれかの特定の構造または機能に限定されるものと解釈されるべきではない。むしろ、これらの態様は、本開示が周到で完全になり、本開示の範囲を当業者に十分に伝えるために与えられる。本明細書の教示に基づいて、本開示の範囲は、本発明の他の態様とは無関係に実装されるにせよ、本発明の他の態様と組み合わせられるにせよ、本明細書で開示される新規のシステム、装置、および方法のいかなる態様をもカバーするものであることを、当業者は諒解されたい。たとえば、本明細書に記載される態様をいくつ使用しても、装置は実装され得、または方法は実施され得る。さらに、本発明の範囲は、本明細書に記載される本発明の様々な態様に加えてまたはそれらの態様以外に、他の構造、機能、または構造および機能を使用して実施されるそのような装置または方法をカバーするものとする。本明細書で開示されるいかなる態様も請求項の１つまたは複数の要素によって実施され得ることを理解されたい。
【００４７】
[0060]本明細書では特定の態様が説明されるが、これらの態様の多くの変形および置換は本開示の範囲内に入る。好適な態様のいくつかの利益および利点が説明されるが、本開示の範囲は特定の利益、使用、または目的に限定されるものではない。むしろ、本開示の態様は、異なるワイヤレス技術、システム構成、ネットワーク、および伝送プロトコルに広く適用可能であるものとし、それらのうちのいくつかが、例として、図において、および好適な態様の以下の説明において示される。発明を実施するための形態および図面は、本開示を限定するものではなく説明するものにすぎず、本開示の範囲は添付の特許請求の範囲およびそれの均等物によって定義される。
【００４８】
[0061]ワイヤレスネットワーク技術は、様々なタイプのワイヤレスローカルエリアネットワーク（ＷＬＡＮ）を含むことができる。ＷＬＡＮは、広く使用されるネットワーキングプロトコルを採用して、近接デバイスを互いに相互接続するために使用され得る。本明細書で説明される様々な態様は、Ｗｉ−Ｆｉ（登録商標）、またはより一般的には、ワイヤレスプロトコルの米国電気電子技術者協会（ＩＥＥＥ：Institute of Electrical and Electronics Engineers）８０２．１１ファミリーの任意のメンバー（たとえば、８０２．１１ａ／ｂ／ｇ／ｎ／ａｃ／ａｈ／ａｘなど）など、任意の通信規格に適用され得る。
【００４９】
[0062]いくつかの態様では、ワイヤレス信号は、直交周波数分割多重（ＯＦＤＭ）、直接シーケンススペクトラム拡散（ＤＳＳＳ：direct-sequence spread spectrum）通信、ＯＦＤＭとＤＳＳＳ通信との組合せ、または他の方式を使用して、高効率８０２．１１プロトコルに従って送信され得る。有利なことに、この特定のワイヤレスプロトコルを実装するいくつかのデバイスの態様は、他のワイヤレスプロトコルを実装するデバイスよりも消費する電力が少ないことがあり、短い距離にわたってワイヤレス信号を送信するために使用されることがあり、および／または、人などの物体によって遮断される可能性が低い信号を送信することが可能であることがある。
【００５０】
[0063]いくつかの実装形態では、ＷＬＡＮは、ワイヤレスネットワークにアクセスする構成要素である様々なデバイスを含む。たとえば、２つのタイプのデバイス、すなわちアクセスポイント（「ＡＰ」）および（局または「ＳＴＡ」とも呼ばれる）クライアントがあり得る。概して、ＡＰはＷＬＡＮのためのハブまたは基地局として働き、ＳＴＡはＷＬＡＮのユーザとして働く。たとえば、ＳＴＡは、ラップトップコンピュータ、携帯情報端末（ＰＤＡ）、モバイルフォンなどであり得る。一例では、ＳＴＡは、インターネットまたは他のワイドエリアネットワークへの一般的接続性を取得するためにＷｉ−Ｆｉ（たとえば、８０２．１１ａｘなどのＩＥＥＥ８０２．１１プロトコル）準拠ワイヤレスリンクを介してＡＰに接続する。いくつかの実装形態では、ＳＴＡはＡＰとして使用されることもある。
【００５１】
[0064]本明細書で説明される技法は、直交多重化方式に基づく通信システムを含む様々なブロードバンドワイヤレス通信システムのために使用され得る。そのような通信システムの例としては、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどがある。ＳＤＭＡシステムは、複数のユーザ端末に属するデータを同時に送信するために十分に異なる方向を利用することができる。ＴＤＭＡシステムは、送信信号を異なるタイムスロットに分割することによって、複数のユーザ端末が同じ周波数チャネルを共有することを可能にすることができ、各タイムスロットは異なるユーザ端末に割り当てられる。ＴＤＭＡシステムは、モバイル通信用グローバルシステム（ＧＳＭ（登録商標）：Global System for Mobile communication）または当技術分野で知られている何らかの他の規格を実装することができる。ＯＦＤＭＡシステムは、全システム帯域幅を複数の直交サブキャリアに区分する変調技法である、直交周波数分割多重化（ＯＦＤＭ）を利用する。これらのサブキャリアは、トーン、ビン、周波数帯域などと呼ばれることもある。ＯＦＤＭでは、各サブキャリアはデータで独立して変調され得る。ＯＦＤＭシステムは、ＩＥＥＥ８０２．１１または当技術分野で知られている何らかの他の規格を実装することができる。ＳＣ−ＦＤＭＡシステムは、システム帯域幅にわたって分散されたサブキャリア上で送信するためのインターリーブＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用することができる。概して、変調シンボルは、ＯＦＤＭでは周波数領域で、ＳＣ−ＦＤＭＡでは時間領域で送られる。ＳＣ−ＦＤＭＡシステムは、３ＧＰＰ（登録商標）−ＬＴＥ（登録商標）（第３世代パートナーシッププロジェクトロングタームエボリューション）または他の規格を実装することができる。
【００５２】
[0065]本明細書の教示は、様々なワイヤードまたはワイヤレス装置（たとえば、ノード）に組み込まれ得る（たとえば、その装置内で実装されるか、またはその装置によって実施され得る）。いくつかの態様では、本明細書の教示に従って実装されるワイヤレスノードはアクセスポイントまたはアクセス端末を含むことができる。
【００５３】
[0066]アクセスポイント（「ＡＰ」）は、ノードＢ、無線ネットワークコントローラ（「ＲＮＣ」）、ｅノードＢ、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を含むか、それらのいずれかとして実装されるか、あるいはそれらのいずれかとして知られていることがある。
【００５４】
[0067]また、局（「ＳＴＡ」）は、ユーザ端末、アクセス端末（「ＡＴ」）、加入者局、加入者ユニット、移動局、リモート局、リモート端末、ユーザエージェント、ユーザデバイス、ユーザ機器、または何らかの他の用語を含むか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）フォン、ワイヤレスローカルループ（「ＷＬＬ」）局、携帯情報端末（「ＰＤＡ」）、ワイヤレス接続機能を有するハンドヘルドデバイス、またはワイヤレスモデムに接続された何らかの他の好適な処理デバイスを含むことができる。したがって、本明細書で教示される１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、個人情報端末）、エンターテインメントデバイス（たとえば、音楽またはビデオデバイス、あるいは衛星ラジオ）、ゲームデバイスまたはシステム、全地球測位システムデバイス、あるいはワイヤレス媒体を介して通信するように構成された他の好適なデバイスに組み込まれ得る。
【００５５】
[0068]図１は、本開示の態様が採用され得るワイヤレス通信システム１００の一例を示す。ワイヤレス通信システム１００は、ワイヤレス規格、たとえば、８０２．１１ａｘ規格、８０２．１１ａｃ規格、８０２．１１ｎ規格、８０２．１１ｇ規格および８０２．１１ｂ規格のうちの少なくとも１つに従って動作することができる。ワイヤレス通信システム１００は、ＳＴＡ１０６ａ、１０６ｂ、１０６ｃ、および１０６ｄ（以下、まとめて１０６ａ〜１０６ｄ）と通信する、ＡＰ１０４を含むことができる。
【００５６】
[0069]様々なプロセスおよび方法が、ＡＰ１０４とＳＴＡ１０６ａ〜１０６ｄとの間の、ワイヤレス通信システム１００における送信のために使用され得る。たとえば、信号は、ＯＦＤＭ／ＯＦＤＭＡ技法に従って、ＡＰ１０４とＳＴＡ１０６ａ〜１０６ｄとの間で送信および受信され得る。そうである場合、ワイヤレス通信システム１００はＯＦＤＭ／ＯＦＤＭＡシステムと呼ばれることがある。代替的に、信号は、符号分割多元接続（ＣＤＭＡ）技法に従って、ＡＰ１０４とＳＴＡ１０６ａ〜１０６ｄとの間で送信および受信され得る。そうである場合、ワイヤレス通信システム１００はＣＤＭＡシステムと呼ばれることがある。代替的に、信号は、マルチユーザ多入力多出力（ＭＵ−ＭＩＭＯ）技法に従って、ＡＰ１０４とＳＴＡ１０６ａ〜１０６ｄとの間で送信および受信され得る。そうである場合、ワイヤレス通信システム１００はＭＵ−ＭＩＭＯシステムと呼ばれることがある。代替的に、信号は、シングルユーザ多入力多出力（ＳＵ−ＭＩＭＯ）技法に従って、ＡＰ１０４とＳＴＡ１０６ａ〜１０６ｄとの間で送信および受信され得る。そうである場合、ワイヤレス通信システム１００はＳＵ−ＭＩＭＯシステムと呼ばれることがある。代替的に、信号は、ＭＵ−ＭＩＭＯ技法とＯＦＤＭ／ＯＦＤＭＡとに従って、同時に、ＡＰ１０４とＳＴＡ１０６ａ〜１０６ｄとの間で送信および受信され得る。そうである場合、ワイヤレス通信システム１００は多重技法システムと呼ばれることがある。
【００５７】
[0070]ＡＰ１０４からＳＴＡ１０６ａ〜１０６ｄのうちの１つまたは複数への送信を可能にする通信リンクはダウンリンク（ＤＬ）１０８と呼ばれることがあり、ＳＴＡ１０６ａ〜１０６ｄのうちの１つまたは複数からＡＰ１０４への送信を可能にする通信リンクはアップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。
【００５８】
[0071]ＡＰ１０４は、以下でより詳細に説明されるように、受信デバイス（たとえば、ＳＴＡ１０６ａ〜１０６ｄ）が、できるだけ少しの、パケットのプリアンブルを受信し、パケットのプリアンブルの処理の後に、パケットに関連する通信プロトコルを決定することを可能にする１つまたは複数の特徴を含むパケットを生成するために利用され得るパケット生成器１２４を含むことができる。ＡＰ１０４は、基本サービスエリア（ＢＳＡ）１０２においてワイヤレス通信カバレージを与えることができる。ＡＰ１０４は、ＡＰ１０４に関連付けられ、通信のためにＡＰ１０４を使用するＳＴＡ１０６ａ〜１０６ｄとともに、基本サービスセット（ＢＳＳ）と呼ばれることがある。ワイヤレス通信システム１００は、中央ＡＰ１０４を有しないことがあり、むしろ、ＳＴＡ１０６ａ〜１０６ｄ間のピアツーピアネットワークとして機能することができることに留意されたい。したがって、本明細書で説明されるＡＰ１０４の機能は、代替的にＳＴＡ１０６ａ〜１０６ｄのうちの１つまたは複数によって実施され得る。
【００５９】
[0072]いくつかの実施形態では、ＨＥＷ  ＳＴＡ１０６は、レガシーＳＴＡのシンボル持続時間の４倍のシンボル持続時間を使用して通信することができる。したがって、送信される各シンボルは、持続時間が４倍長いことがある。より長いシンボル持続時間を使用するとき、個々のトーンの各々は、送信されるべき帯域幅の１／４程度のみを必要とし得る。たとえば、様々な実施形態では、１ｘシンボル持続時間は４μｓであり得、４ｘシンボル持続時間は１６μｓであり得る。したがって、様々な実施形態では、１ｘシンボルは、本明細書ではレガシーシンボルと呼ばれることがあり、４ｘシンボルはＨＥＷシンボルと呼ばれることがある。他の実施形態では、異なる持続時間が可能である。
【００６０】
[0073]図２は、ワイヤレス通信システム１００内で採用され得るワイヤレスデバイス２０２において利用され得る様々な構成要素を示す。ワイヤレスデバイス２０２は、本明細書で説明される様々な方法を実装するように構成され得るデバイスの一例である。たとえば、ワイヤレスデバイス２０２は、ＡＰ１０４を含むか、またはＳＴＡ１０６ａ〜１０６ｄのうちの１つを含むことができる。
【００６１】
[0074]ワイヤレスデバイス２０２は、ワイヤレスデバイス２０２の動作を制御するプロセッサ２０４を含むことができる。プロセッサ２０４は中央処理ユニット（ＣＰＵ）またはハードウェアプロセッサと呼ばれることもある。読取り専用メモリ（ＲＯＭ）とランダムアクセスメモリ（ＲＡＭ）の両方を含むことができるメモリ２０６は、プロセッサ２０４に命令とデータとを与える。メモリ２０６の一部分は不揮発性ランダムアクセスメモリ（ＮＶＲＡＭ）をも含むことができる。プロセッサ２０４は、一般に、メモリ２０６内に記憶されたプログラム命令に基づいて論理演算と算術演算とを実施する。メモリ２０６中の命令は、本明細書で説明される方法を実装するために実行可能であり得る。
【００６２】
[0075]プロセッサ２０４は、１つまたは複数のプロセッサを用いて実装された処理システムを含むか、またはそれの構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、あるいは情報の計算または他の操作を実施することができる任意の他の好適なエンティティの任意の組合せを用いて実装され得る。ワイヤレスデバイス２０２が図１のＡＰ１０４に対応する場合、プロセッサ２０４、またはプロセッサ２０４およびメモリ２０６は、パケット生成器１２４に対応することができる。
【００６３】
[0076]処理システムは、ソフトウェアを記憶するための非一時的機械可読媒体をも含むことができる。ソフトウェアは、ソフトウェア、ファームウェア、ミドルウェア、マイクロコード、ハードウェア記述言語などの名称にかかわらず、任意のタイプの命令を意味すると広く解釈されたい。命令は、（たとえば、ソースコード形式、バイナリコード形式、実行可能コード形式、または任意の他の好適なコード形式の）コードを含むことができる。命令は、１つまたは複数のプロセッサによって実行されたとき、本明細書で説明される様々な機能を処理システムに実施させる。
【００６４】
[0077]ワイヤレスデバイス２０２は、ワイヤレスデバイス２０２と遠隔ロケーションとの間のデータの送信および受信を可能にするために送信機２１０と受信機２１２とを含むことができるハウジング２０８をも含むことができる。送信機２１０と受信機２１２とは組み合わせられてトランシーバ２１４になり得る。アンテナ２１６は、ハウジング２０８に取り付けられ、トランシーバ２１４に電気的に結合され得る。ワイヤレスデバイス２０２はまた、たとえば、多入力多出力（ＭＩＭＯ）通信中に利用され得る、複数の送信機、複数の受信機、複数のトランシーバ、および／または複数のアンテナ（図示せず）を含むことができる。
【００６５】
[0078]ワイヤレスデバイス２０２は、トランシーバ２１４によって受信された信号のレベルを検出し、定量化するために使用され得る信号検出器２１８をも含むことができる。信号検出器２１８は、そのような信号を、総エネルギー、シンボルごとのサブキャリア当たりのエネルギー、電力スペクトル密度および他の信号として検出することができる。ワイヤレスデバイス２０２は、信号を処理する際に使用するデジタル信号プロセッサ（ＤＳＰ）２２０をも含むことができる。ＤＳＰ２２０は、送信のためにデータユニットを生成するように構成され得る。いくつかの態様では、データユニットは物理レイヤデータユニット（ＰＰＤＵ）を含むことができる。いくつかの態様では、ＰＰＤＵはパケットと呼ばれる。
【００６６】
[0079]ワイヤレスデバイス２０２は、いくつかの態様ではユーザインターフェース２２２をさらに含むことができる。ユーザインターフェース２２２は、キーパッド、マイクロフォン、スピーカー、および／またはディスプレイを含むことができる。ユーザインターフェース２２２は、ワイヤレスデバイス２０２のユーザに情報を搬送し、および／またはユーザからの入力を受信する要素または構成要素を含むことができる。
【００６７】
[0080]ワイヤレスデバイス２０２の様々な構成要素はバスシステム２２６によって互いに結合され得る。バスシステム２２６は、たとえば、データバス、ならびに、データバスに加えて、電力バス、制御信号バス、およびステータス信号バスを含むことができる。ワイヤレスデバイス２０２の構成要素は、何らかの他の機構を使用して、互いに結合されるか、あるいは互いに対する入力を受け付けるかまたは与え得ることを、当業者は諒解されよう。
【００６８】
[0081]図２には、いくつかの別個の構成要素が示されているが、構成要素のうちの１つまたは複数が組み合わせられるか、または共通に実装され得ることを、当業者は認識されよう。たとえば、プロセッサ２０４は、プロセッサ２０４に関して上記で説明された機能を実装するためだけでなく、信号検出器２１８および／またはＤＳＰ２２０に関して上記で説明された機能を実装するためにも使用され得る。さらに、図２に示されている構成要素の各々は、複数の別個の要素を使用して実装され得る。
【００６９】
[0082]上記で説明されたように、ワイヤレスデバイス２０２は、ＡＰ１０４またはＳＴＡ１０６ａ〜１０６ｄのうちの１つを含むことができ、通信を送信および／または受信するために使用され得る。ワイヤレスネットワークにおけるデバイス間で交換される通信は、パケットまたはフレームを含むことができるデータユニットを含むことができる。いくつかの態様では、データユニットは、データフレーム、制御フレーム、および／または管理フレームを含むことができる。データフレームは、ＡＰおよび／またはＳＴＡから他のＡＰおよび／またはＳＴＡにデータを送信するために使用され得る。制御フレームは、様々な動作を実施するために、およびデータを確実に配信するために、データフレームとともに使用され得る（たとえば、データの受信を肯定応答すること、ＡＰのポーリング、エリアクリアリング動作、チャネル取得、キャリア検知維持機能など）。管理フレームは、（たとえば、ワイヤレスネットワークに加わり、そのネットワークから離れるなどのための）様々な監視機能のために使用され得る。
【００７０】
[0083]ワイヤレス通信プロトコルの８０２．１１ファミリーは、いくつかの異なるプロトコル（たとえば、８０２．１１ａ、８０２．１１ｂ、８０２．１１ｇ、８０２．１１ｎ、８０２．１１ａｃ、および８０２．１１ａｘ）を含む。異なるＷｉＦｉ規格間の互換性を保証するために、受信デバイスは、ＰＰＤＵの各々のプリアンブル内に組み込まれた情報を利用して、あるワイヤレス通信プロトコルからのＰＰＤＵと、別のワイヤレス通信プロトコルからのＰＰＤＵとを区別する。以下で、図３〜図６は、より詳細に、ワイヤレスプロトコルの８０２．１１ファミリーのうちのいくつかのための例示的なプリアンブルについて説明する。
【００７１】
[0084]図３は、８０２．１１ａｃワイヤレス通信プロトコルに従って符号化された物理レイヤデータユニット（ＰＰＤＵ）パケットのプリアンブル３００の図を示す。プリアンブル３００は、レガシーショートトレーニングフィールド（たとえば、Ｌ−ＳＴＦフィールド３０２）と、レガシーロングトレーニングフィールド（たとえば、Ｌ−ＬＴＦフィールド３０４）と、レガシー信号フィールド（たとえば、Ｌ−ＳＩＧフィールド３０６）とを含むことができる。フィールド３０２、３０４および３０６の各々は、これらのフィールドが、以前の（earlier）レガシー８０２．１１通信プロトコル（たとえば、８０２．１１ａ／ｂ／ｇ）に従って動作するワイヤレス通信デバイスも、これらのレガシープリアンブルフィールドを復号することができるように、これらのレガシープロトコルとの後方互換性があるので、「レガシー」と呼ばれる。したがって、いくつかの混合規格環境では、すべてのデバイス（または第１のセット）がレガシーフィールドを復号することができるが（whereas）、デバイスのサブセット（または第１のセットのサブセット、たとえば、ＨＥデバイス）のみがＨＥフィールドを復号することができる。８０２．１１ａｃ  ＰＰＤＵプリアンブル３００は、２位相シフトキーイング（ＢＰＳＫ）を利用して符号化され得る、第１の超高スループット信号シンボル（ＶＨＴ−ＳＩＧＡ１）３０８をも含むことができる。８０２．１１ａｃ  ＰＰＤＵプリアンブル３００は、９０°回転ＢＰＳＫ（直交ＢＰＳＫまたはＱ−ＢＰＳＫ）を利用して符号化され得る、第２の超高スループット信号シンボル（ＶＨＴ−ＳＩＧＡ２）３１０をも含むことができる。可視化が容易なように別々に示されているが、ＶＨＴ−ＳＩＧＡ１  ３０８およびＶＨＴ−ＳＩＧＡ１  ３０８シンボルは、一緒に、２シンボルＶＨＴ信号フィールドを含む。８０２．１１ａｃ  ＰＰＤＵプリアンブル３００は、ＶＨＴショートトレーニングフィールド（ＶＨＴ−ＳＴＦ）３１２をも含むことができる。シンボル３０８および３１０ならびにフィールド３１２は、８０２．１１ａｃプロトコルに従って動作するワイヤレス通信デバイスによって復号可能であるが、たとえば、８０２．１１ａ／ｂ／ｇプロトコルに従って動作するワイヤレス通信デバイスによって復号可能でないことがある。
【００７２】
[0085]図４は、８０２．１１ｎワイヤレス通信プロトコルに従って符号化された物理レイヤデータユニット（ＰＰＤＵ）パケットのプリアンブル４００の図を示す。８０２．１１ｎプリアンブル４００は、各々、それぞれ図３のＬ−ＳＴＦフィールド３０２、Ｌ−ＬＴＦフィールド３０４およびＬ−ＳＩＧフィールド３０６に対応し、それらと実質的に同等であり得る、Ｌ−ＳＴＦフィールド４０２と、Ｌ−ＬＴＦフィールド４０４と、Ｌ−ＳＩＧフィールド４０６とを含むことができる。８０２．１１ｎプリアンブル４００は、Ｑ−ＢＰＳＫを利用して符号化され得る、第１の高スループット信号シンボル（ＨＴ−ＳＩＧ１）４０８をさらに（additionally）含むことができる。８０２．１１ｎプリアンブル４００は、Ｑ−ＢＰＳＫを利用して同じく符号化され得る、第２の高スループット信号シンボル（ＨＴ−ＳＩＧ２）４１０をさらに含むことができる。図３の場合と同様に、可視化が容易なように別々に示されているが、ＨＴ−ＳＩＧ１  ４０８およびＨＴ−ＳＩＧ２  ４１０シンボルは、一緒に、２シンボルＨＴ信号フィールドを含む。８０２．１１ｎ  ＰＰＤＵプリアンブル４００は、ＨＴショートトレーニングフィールド（ＨＴ−ＳＴＦ）４１２をも含むことができる。シンボル４０８および４１０ならびにフィールド４１２は、８０２．１１ｎプロトコルに従って動作するワイヤレス通信デバイスによって復号可能であるが、たとえば、８０２．１１ａ／ｂ／ｇプロトコルに従って動作するワイヤレス通信デバイスによって復号可能でないことがある。
【００７３】
[0086]８０２．１１ａｃ符号化ＰＰＤＵと、８０２．１１ｎ符号化ＰＰＤＵとを区別することに関して、受信ワイヤレス通信デバイスは、単に、受信されたＰＰＤＵのプリアンブル中の第１および第２の高スループット信号シンボルに対してＱ−ＢＰＳＫ検査を実施することができる。たとえば、ＨＴ−ＳＩＧ１シンボル４０８とＨＴ−ＳＩＧ２シンボル４１０の両方が、両方とも、Ｑ−ＢＰＳＫを利用して符号化されるが、ＶＨＴ−ＳＩＧＡ２シンボル３１０のみがＱ−ＢＫＳＫを利用して符号化され、ＶＨＴ−ＳＩＧＡ１シンボル３０８はＱ−ＢＫＳＫを利用して符号化されない（while only the VHT-SIGA2 symbol 310 and not the VHT-SIGA1 symbol 308 is encoded utilizing Q-BKSK）ので、Ｑ−ＢＰＳＫ検査が、受信されたＰＰＤＵのプリアンブルに対して実施される場合、受信デバイスは、８０２．１１ａｃ  ＰＰＤＵと８０２．１１ｎ  ＰＰＤＵとを区別することが可能であり得る。
【００７４】
[0087]図５は、８０２．１１ａワイヤレス通信プロトコルに従って符号化された物理レイヤデータユニット（ＰＰＤＵ）パケットのプリアンブル５００の図を示す。８０２．１１ａプリアンブル４００は、各々、それぞれ図３のＬ−ＳＴＦフィールド３０２、Ｌ−ＬＴＦフィールド３０４およびＬ−ＳＩＧフィールド３０６に対応し、それらと実質的に同等であり得る、Ｌ−ＳＴＦフィールド５０２と、Ｌ−ＬＴＦフィールド５０４と、Ｌ−ＳＩＧフィールド５０６とを含むことができる。示されているが、データフィールド５１４は、プリアンブル５００の一部でないが、ＰＰＤＵのデータ部分への遷移を示すために含まれる。データフィールドは、図３、図４、および図６に示されているプリアンブルの各々の最後のフィールドに同様に続くことになる。プリアンブル５００は、８０２．１１ａプロトコルが、８０２．１１ａｃおよび８０２．１１ｎプロトコルがそうであるような、高または超高スループット通信のために構成されないレガシープロトコルであるので、高スループットフィールドを含まない。
【００７５】
[0088]図６は、例示的な実装形態による、物理レイヤデータユニット（ＰＰＤＵ）パケットの高効率ワイヤレス（ＨＥＷ）プリアンブル６００の図を示す。プリアンブル６００は、各々、それぞれ図３のＬ−ＳＴＦフィールド３０２、Ｌ−ＬＴＦフィールド３０４およびＬ−ＳＩＧフィールド３０６に対応し、それらと実質的に同等であり得る、Ｌ−ＳＴＦフィールド６０２と、Ｌ−ＬＴＦフィールド６０４と、Ｌ−ＳＩＧフィールド６０６とを含むことができる。プリアンブル６００は、第１の高効率信号シンボル（ＨＥ−ＳＩＧ０）６０８と、第２の高効率信号シンボルＨＥ−ＳＩＧ０  ６１０と、第３の高効率信号シンボル（ＨＥ−ＳＩＧ１）６１６と、第４の高効率信号シンボル（ＨＥ−ＳＩＧ１）６１８とをさらに含むことができる。別々に示されているが、第１のＨＥ−ＳＩＧ０シンボル６０８および第２のＨＥ−ＳＩＧ０シンボル６１０は、第１のＨＥ−ＳＩＧ０フィールドを形成することができ、第３のＨＥ−ＳＩＧ１シンボル６１６および第４のＨＥ−ＳＩＧ１シンボル６１８は、第２のＨＥ−ＳＩＧ１フィールドを形成することができる。第１のＨＥ−ＳＩＧ０シンボル６０８および第２のＨＥ−ＳＩＧ０シンボル６１０、ならびに第３のＨＥ−ＳＩＧ１シンボル６１６および第４のＨＥ−ＳＩＧ１シンボル６１８の各々は、ＢＰＳＫを利用して符号化され得る。
【００７６】
[0089]いくつかの実装形態では、ＨＥ−ＳＩＧ０シンボル６１０の後のシンボル（たとえば、ＨＥ−ＳＩＧ１シンボル６１６および６１８ならびに後続の信号）は、長遅延拡散環境（long-delay-spread environments）においてＯＦＤＭ直交性を温存しながら（while conserving）、変動する（varying）環境条件において高スループットと低誤り率とのバランスをとるために、各シンボル間で離間された（spaced）ショートガードインターバルまたはロングガードインターバルのいずれかを有することができる。ショートガードインターバルが利用されるのかロングガードインターバルが利用されるのかの指示は、ＨＥ−ＳＩＧ０シンボル６０８および６１０の一方または両方内にある（located within）シグナリングビットの値に基づき得る。ＨＥ−ＳＩＧ０シンボル６１０の後のシンボルが、２つの異なる長さのうちの１つを有するガードインターバルを利用することになるので、受信デバイスが、ＨＥ−ＳＩＧ０  ６１０シンボルの後のシンボル間のガードインターバルに基づいてバッファリングおよびセグメンテーションを調整するのに十分な時間を受信デバイスに与えるために、第１のＨＥ−ＳＩＧ０シンボル６０８を受信および／または処理することの終りまでに、受信されたＰＰＤＵが、ＨＥＷモードに従って符号化された（たとえば、ＨＥＷプリアンブルである）と決定することが可能であることが望ましい。受信ワイヤレス通信デバイスが、第１のＨＥ−ＳＩＧ０シンボル６０８よりも後にＨＥＷモードを検出した場合、デバイスハードウェアまたはソフトウェアが、データを失うかまたは間違ってパースすることなしにＰＰＤＵの残余を正しくパースするようにそのような必要とされる調整を行うことが困難または不可能になる。
【００７７】
[0090]様々な実施形態では、ＨＥ−ＳＩＧ１フィールドは可変長を有することができる。ＨＥ−ＳＩＧ１フィールドの長さは、Ｌ−ＳＩＧ６０６、ＨＥ−ＳＩＧ０  ６０８、および／またはＨＥ−ＳＩＧ０  ６１０など、以前のＳＩＧシンボル中の任意のフィールドによって示され得る。いくつかの実施形態では、ＨＥ−ＳＩＧ１フィールドの長さは、パイロットトーンの極性（たとえば、正または反転（positive or reversed））において符号化され、それにより、以前のＳＩＧシンボル中のいくつかのビットを節約することができる。たとえば、通常シンボルは、決定性（deterministic）パターンにおいて変化する極性を有するパイロットトーンを含むことができる。一実施形態では、最後のＨＥ−ＳＩＧ１シンボル６１８は、前の（prior）ＨＥ−ＳＩＧ１シンボル６１６と比較してネゲートされた（negated）極性を有するパイロットを含むことができる。したがって、ネゲートされたパイロットトーンは、ＨＥ−ＳＩＧ１シンボル６１８が最後のＨＥ−ＳＩＧ１シンボルであることを示すことができる。一実施形態では、最後のＨＥ−ＳＩＧ１シンボルは、１つまたは複数の前のシンボルと比較してネゲートされた極性を有するパイロットトーンを含むことができる。
【００７８】
[0091]図７は、図６に示されているＨＥＷプリアンブル６００の第１および第２のＨＥ−ＳＩＧ０シンボル６０８／６１０のより詳細な図７００を示す。ＨＥ−ＳＩＧ０シンボル６０８および６１０の各々は、ガードインターバル（ＧＩ）としても知られるサイクリックプレフィックス（ＣＰ）によって、隣接するシンボルから分離され得る。たとえば、第１のＨＥ−ＳＩＧ０シンボル６０８は、関連するＣＰまたはＧＩ７２０を有し、第２のＨＥ−ＳＩＧ０シンボル６１０は、関連するＣＰまたはＧＩ７２２を有する。いくつかの実装形態では、ＣＰ７２０および７２２は、０．８μｓの持続時間を有することができ、ＨＥ−ＳＩＧ０シンボル６０８および６１０の各々は、３．２μｓの持続時間を有することができる。したがって、関連するＣＰ７２０／７２２を含む各ＨＥ−ＳＩＧ０シンボル６０８／６１０は、４μｓの総持続時間を有することができる。したがって、ＧＩ７２０／７２２は、受信ワイヤレス通信デバイスが、マルチパス反射などによる遅延など、環境摂動（perturbations）が、受信されたＰＰＤＵの長遅延拡散を生じたときでも（even when）、受信されたＰＰＤＵを確実に（reliably）復号することができることを保証するために、ＰＰＤＵ中の隣接するシンボル間の時間間隔を与える。ＧＩ７２０／７２２によって与えられる時間間隔に加えて、各ＰＰＤＵが送信されるチャネルは、隣接する通信チャネル間のスペクトル（たとえば、周波数）バッファまたは間隔を与える、非エッジまたは非ガードデータトーン、またはサブキャリアを搬送する、データに隣接するいくつかのエッジトーンを含むことができる。従来、そのようなエッジトーンは、０エネルギー量（a zero energy content）を有するように設計され、たとえば、送信ワイヤレス通信デバイスは、エッジトーン中で信号または任意のエネルギーを送信するように構成されず、受信ワイヤレス通信デバイスは、エッジトーン中で信号を読み取るかまたはエネルギーを復号するように構成されない。しかしながら、本出願は、特定のＰＰＤＵが、ＨＥＷモードまたはプロトコルに従って送信またはフォーマットされていることをシグナリングするためにそのようなエッジトーンを利用することを企図する（contemplates）。したがって、エッジトーン中の非０エネルギーレベル、あるいはＰＰＤＵプリアンブルのフィールド内の１つまたは複数のフィールドまたはシンボルを検出および／または復号することによって、受信ワイヤレス通信デバイスは、ＰＰＤＵがＨＥＷモードまたはプロトコルＰＰＤＵであると決定するように構成され得る。
【００７９】
[0092]再び図６を参照すると、いくつかの実施形態では、ＨＥ−ＳＩＧ０Ａ６０８とＨＥ−ＳＩＧ０Ｂ６１０とを含む２シンボルＨＥ−ＳＩＧ０フィールドは、プリアンブル６００の復調中のボトルネックをもたらすことがある（can present）。いくつかの実施形態では、１シンボルＨＥ−ＳＩＧ０フィールドが使用され得る。様々な実施形態では、１シンボルＨＥ−ＳＩＧ０フィールドは、２シンボルＨＥ−ＳＩＧ０フィールドと比較して、比較的より高い信号対雑音比（ＳＮＲ）において、比較的より低いパケット誤り率（ＰＥＲ）を与えることができる。
【００８０】
[0093]図８は、別の例示的な実装形態による、物理レイヤデータユニット（ＰＰＤＵ）パケットの高効率ワイヤレス（ＨＥＷ）プリアンブル８００の図を示す。いくつかの実装形態では、ＨＥＷプリアンブル８００は、図６に示されているプリアンブル６００に対応することができるが、図６の２シンボルＨＥ−ＳＩＧ０  ６０８および６１０とは対照的に１シンボルＨＥ−ＳＩＧ０  ８０８をもつ（with）。一実施形態では、ＨＥ−ＳＩＧ０  ８０８は単一の１ｘシンボルである。
【００８１】
[0094]ＨＥＷプリアンブル８００は、それぞれ図６のＬ−ＳＴＦフィールド６０２、Ｌ−ＬＴＦフィールド６０４およびＬ−ＳＩＧフィールド６０６に対応することができる、Ｌ−ＳＴＦフィールド８０２と、Ｌ−ＬＴＦフィールド８０４と、Ｌ−ＳＩＧフィールド８０６とを含むことができる。前に説明されたように、いくつかの実装形態では、関連するガードインターバルをもつ各シンボルは、４μｓの組み合わせられた持続時間を有することができる。したがって、Ｌ−ＳＴＦ８０２は、２つの時間的に隣接するシンボルを含むことができる。同様に、いくつかの実装形態では、Ｌ−ＬＴＦ８０４は、２つの時間的に隣接するシンボルを含むことができ、Ｌ−ＳＩＧフィールド８０６は、１つのシンボルを含むことができる。したがって、図示のように、Ｌ−ＳＴＦ８０２は、プリアンブル８００の第１および第２のシンボルを含むことができ、Ｌ−ＬＴＦ８０４は、プリアンブル８００の第３および第４のシンボルを含むことができ、Ｌ−ＳＩＧ８０６は、プリアンブル８００の第５のシンボルを含むことができ、ＨＥ−ＳＩＧ０  ８０８ａ／８０８ｂは、プリアンブル８００の第６のシンボルを含むことができ、ＨＥ−ＳＩＧ１は、プリアンブル８００の第７および第８のシンボルを含むことができる。
【００８２】
[0095]さらに、いくつかの実装形態では、ＰＰＤＵがＨＥＷ  ＰＰＤＵであることを示すために、周波数繰返しがＨＥ−ＳＩＧ０シンボル８０８ａ〜８０８ｂに対して利用され得る。そのような実装形態では、特定のシンボル内で、トーンの第１のグループ（たとえば、ＨＥ−ＳＩＧ０  ８０８ａ内のトーン）が、トーンの第２のグループ（たとえば、ＨＥ−ＳＩＧ０  ８０８ｂ内のトーン）中の情報の同等のコピーを含むことができる。いくつかの実装形態では、情報は、ＢＰＳＫを利用して符号化され得る。たとえば、前に説明されたように、各２０ＭＨｚ帯域幅について、ＰＰＤＵが、５２個の非ガードトーンをもつシンボルを有するフィールドを含む場合（where）、ＨＥ−ＳＩＧ０  ８０８ａシンボルは、２６個のスペクトル的に隣接するトーンを含むことができ、ＨＥ−ＳＩＧ０  ８０８ｂシンボルは、２６個の他のスペクトル的に隣接するトーンを含むことができる。
【００８３】
[0096]ＨＥ−ＳＩＧ０  ８０８ａの２６個のトーン中に含まれている情報は、ＨＥ−ＳＩＧ０  ８０８ｂの２６個のトーン中で繰り返され得る。いくつかの他の実装形態では、スペクトル的に隣接するおよび連続するトーンのブロック全体を繰り返す代わりに、繰返しは、１つおきのトーン中で行われ得る。たとえば、第２のトーンは、第１のトーン中の情報を繰り返すことができ、第４のトーンは、第３のトーン中の情報を繰り返すことができる、などである。そのようなオプションは、隣接するチャネル間の良好な（good）チャネルコヒーレンスを与えることができ、これは、ＨＥＷ検出をより信頼できるものにすることができる。
【００８４】
[0097]いくつかの実施形態では、繰り返されるＨＥ−ＳＩＧ０  ８０８ｂは、ＨＥ−ＳＩＧ０  ８０８ａのインターリーブされたトーンを含むことができる。インターリーブされた繰返しは、フェージングチャネル中の周波数ダイバーシティを与えることができる。概して、様々な実施形態では、第１のＨＥ−ＳＩＧ０フィールド（たとえば、ＨＥ−ＳＩＧ０  ８０８ｂ）の第ｊのトーンが、第２のＨＥ−ＳＩＧ０（たとえば、ＨＥ−ＳＩＧ０  ８０８ａ）の第ｉのトーンを繰り返すことができ、ここで、ｊ≠ｉである。
【００８５】
[0098]さらに、いくつかの実装形態では、ＨＥ−ＳＩＧ０フィールドの後の各シンボルに関連するガードインターバルが、ショートガードインターバルであるのかロングガードインターバルであるのかに関する指示が、上記で説明されたエッジトーンの非０信号エネルギーにおいて符号化され得る。たとえば、スペクトル的に隣接するエッジトーンに対して対蹠的（anti-podal）コーディングを利用する（たとえば、反対の非０信号極性（−１，１または１，−１）を用いて同じシンボル中の互いに隣接するエッジトーンをポピュレートする）ことによって、送信ワイヤレス通信デバイスは、ショートガードインターバルとロングガードインターバルとのうちの一方についてコーディングすることができる。反対に、スペクトル的に隣接するエッジトーンの非０信号エネルギーが、対蹠的にコーディングされない（たとえば、スペクトル的に隣接するエッジトーンが、同じ非０信号エネルギー（１，１または−１，−１）を有する）場合、送信ワイヤレス通信デバイスは、ショートガードインターバルとロングガードインターバルとのうちの他方についてコーディングすることができる。
【００８６】
[0099]したがって、送信ワイヤレス通信デバイスは、ＰＰＤＵがＨＥＷ  ＰＰＤＵであることを示すために、上記で説明されたプリアンブル８００をもつＰＰＤＵをポピュレートすることができ、受信ワイヤレス通信デバイスは、Ｌ−ＬＴＦ８０４フィールド、Ｌ−ＳＩＧ８０６フィールド、またはＨＥ−ＳＩＧ０  ８０８フィールド中のシンボルのうちの少なくとも１つ中で非０信号エネルギーを有するエッジトーンを検知する（sense）ように構成され、非０エネルギーのポピュレートされたエッジトーンからＰＰＤＵがＨＥＷ  ＰＰＤＵであるという指示に加えてガードインターバル長さの指示を抽出することが可能であることがある。
【００８７】
[00100]図９Ａは、別の例示的な実装形態による、物理レイヤデータユニット（ＰＰＤＵ）パケットの高効率ワイヤレス（ＨＥＷ）プリアンブル９００Ａの図を示す。プリアンブル９００Ａは、ＨＥ−ＳＩＧ０シンボル９０８が周波数繰返しを組み込まないことを除いて、図８に関して上記で説明されたフィールドおよびシンボルの各々に対応するフィールドおよびシンボルを含むことができる。さらに、非０エネルギーエッジトーンポピュレーションが、図８に関して上記で説明されたように行われ得る。しかしながら、周波数繰返しを利用する代わりに、図９Ａによるいくつかの実装形態は、偶数番号の非ガードトーンのみの上で非０信号エネルギーをさらに含み、一方（while）、奇数番号の非ガードトーンは、０信号エネルギーを有することができる。たとえば、５２個のスペクトル的に隣接するおよび連続する非ガードトーンが利用される場合、第２、第４、第６．．．第４８、第５０および第５２の非ガードトーンは、非０信号エネルギーを有することができ、第１、第３、第５．．．第４９および第５１の非ガードトーンは、実質的に０信号エネルギーを有することができる。いくつかの実装形態では、奇数トーンのうちの４つが、パイロットトーンのためにも予約され、パイロットトーンをも用いてポピュレートされ得、ここで、奇数トーンの残余は実質的に０信号エネルギーを有する。したがって、図９Ａによるいくつかの実装形態では、送信ワイヤレス通信デバイスは、図８に関して上記で説明されたエッジトーンをポピュレートすることができ、ＨＥ−ＳＩＧ０シンボル９０８の偶数非ガードトーンをさらにポピュレートすることができる。受信ワイヤレス通信デバイスは、シンボルの周期性（たとえば、前に説明されたシンボルのデータ搬送３．２μｓ間隔の１／２である１．６μｓ）に従って、受信されたプリアンブルシンボルを相関させることによって、ＨＥＷ  ＰＰＤＵを検出することができる。これは、ロングガードインターバル（たとえば、前に説明されたシンボル間の０．８μｓ）の利益を有する。受信ワイヤレス通信デバイスは、代替または追加として、偶数対奇数トーン総エネルギー量を測定すること（measuring）によってＨＥＷ  ＰＰＤＵを検出することができる。エッジトーンポピュレーティングなしに偶数非ガードトーンポピュレーティングのみを利用すると、信頼できるＨＥＷ  ＰＰＤＵ検出のための信号対雑音要件は、ＨＥ−ＳＩＧ０  ９０８シンボルを読み取ることを含むことができる。しかしながら、偶数非ガードトーンポピュレーティングをエッジトーンポピュレーティングと組み合わせることによって、信頼できるＨＥＷ  ＰＰＤＵ検出のための信号対雑音要件は、ＨＥ−ＳＩＧ０シンボル９０８のみを読み取った後に容易に満たされ得る。
【００８８】
[00101]図９Ｂは、別の例示的な実装形態による、高効率ワイヤレス（ＨＥＷ）物理レイヤデータユニット（ＰＰＤＵ）パケット９００Ｂの図を示す。パケット９００Ｂは、Ｌ−ＳＩＧ９０６が、繰り返されるＬ−ＳＩＧ（ＲＬ−ＳＩＧ）９０７として時間的に繰り返されることを除いて、図９Ａに関して上記で説明されたフィールドおよびシンボルの各々に対応するフィールドおよびシンボルを含むことができる。パケット９００Ｂは、８０ＭＨｚ帯域幅上で別々に符号化された、プリアンブル９００Ａの各２０ＭＨｚ部分をさらに示す。パケット９００Ｂは、（８０ＭＨｚ帯域幅全体常に（ever）符号化され得る）ＨＥ−ＳＴＦ９２０と、（８０ＭＨｚ帯域幅全体常に符号化され得る）１つまたは複数のＨＥ−ＬＴＦ９２２と、（８０ＭＨｚ帯域幅全体常に符号化され得る）ＨＥ−Ｄａｔａ９２４と、（８０ＭＨｚ帯域幅全体常に符号化され得る）パケット拡張９２６とをさらに含む。図９Ａのプリアンブル９００Ａの場合と同様に、非０エネルギーエッジトーンポピュレーションは、「データを搬送するためのエッジトーンの使用」と題するセクションにおいてさらに説明されるように、１つまたは複数の「余剰トーン（extra tone）」に対して採用され得る。
【００８９】
[00102]図１０は、様々な実施形態による、例示的な高効率（ＨＥ）信号（ＳＩＧ）フィールド１０００を示す。ＨＥ−ＳＩＧフィールド１０００は、たとえば、図８〜図９に関して上記で説明されたＨＥ−ＳＩＧ０フィールド８０８ａ〜８０８ｂおよび９０８のいずれか、または本明細書で説明される他のフィールドに対応することができる。様々なフィールド、ビット位置、およびサイズが示されているが、当業者は、ＨＥ−ＳＩＧフィールド１０００が追加のフィールドを含むことができること、フィールドが並べ替えられ、除去され、および／またはリサイズされ得ること、ならびにフィールドの内容が変更され得ることを諒解されよう。
【００９０】
[00103]図示の実施形態では、ＨＥ−ＳＩＧフィールド１０００は、モード分類のための巡回冗長検査（ＣＲＣ）１０１０と、基本サービスセット（ＢＳＳ）色識別情報１０２０と、遅延拡散保護フィールド１０３０と、モードインジケータ１０４０と、末尾（tail）１０５０とを含む。図示のように、ＨＥ−ＳＩＧフィールド１０００は２４ビットペイロードを有する。様々な他の実施形態では、ＨＥ−ＳＩＧフィールド１０００は別のサイズであり得る。たとえば、ＨＥ−ＳＩＧフィールド１０００は、Ｌ−ＬＴＦ／Ｌ−ＳＩＧ／ＨＥ−ＳＩＧ１が５６個のトーンを含む実施形態などでは、２６ビット長であり得る。様々な実施形態では、ＨＥ−ＳＩＧフィールド１０００は、（図８〜図９のＨＥ−ＳＩＧ１フィールド８１８または９１８などの）後続のＨＥ−ＳＩＧフィールドの変調およびコーディング方式（ＭＣＳ）を示すための１つまたは複数のビットを含むことができる。
【００９１】
[00104]ＣＲＣ１０１０は、ＨＥ−ＳＩＧフィールド１０００がＨＥパケット中に含まれることを示すように働く（serves to）。ＣＲＣ１０１０は、残りのＨＥ−ＳＩＧフィールド１０２０〜１０５０から、（図８〜図９のＬ−ＳＩＧ８０６または９０６などの）Ｌ−ＳＩＧフィールドと、残りのＨＥ−ＳＩＧフィールド１０２０〜１０５０の両方から、または別のデータセットから生成され得る。ＣＲＣ１０１０が、Ｌ−ＳＩＧフィールドから少なくとも部分的に生成される実施形態では、ＣＲＣ１０１０は、Ｌ−ＳＩＧを確認する（validate）ために使用され得る。
【００９２】
[00105]図示の実施形態では、ＣＲＣ１０１０は９ビット長である。いくつかの実施形態では、ＣＲＣ１０１０は、フォールスアラーム（false alarm）の確率（odds）が、１％未満、０．１％未満、または別のしきい値未満になるようにサイズ決定され得る。様々な実施形態では、ＣＲＣ１０１０は、７ビット長から１１ビット長の間、４ビット長から１６ビット長の間、または可変長であり得る。
【００９３】
[00106]ＢＳＳ色ＩＤ１０２０は、それの関連する基本サービスセットまたはサブセットを示すように働く。図示の実施形態では、ＢＳＳ色ＩＤ１０２０は６ビット長である。様々な実施形態では、ＢＳＳ色ＩＤ１０２０は、５ビット長、４ビット長から８ビット長の間、または可変長であり得る。
【００９４】
[00107]遅延拡散保護フィールド１０３０は、（図８〜図９のＨＥ−ＳＩＧ１  ８１８または９１８などの）ＨＥ−ＳＩＧ１フィールドのための遅延拡散保護モードを示すように働く。一実施形態では、遅延拡散保護フィールド１０３０は１ビットフラグであり得る。遅延拡散保護フィールド１０３０が設定されたとき、ＨＥ−ＳＩＧ１フィールドは、時間的繰返しを用いて送られる。遅延拡散保護フィールド１０３０が設定されないとき、ＨＥ−ＳＩＧ１フィールドは、より大きいサイクリックプレフィックス（ＣＰ）を用いて送られる。他の実施形態では、遅延拡散保護フィールド１０３０は、追加の遅延拡散保護モードを示すことができる。様々な実施形態では、遅延拡散保護フィールド１０３０は、１ビット長と２ビット長の間、１ビット長と４ビット長の間、または可変長であり得る。
【００９５】
[00108]モードインジケータ１０４０は、パケット送信モードを示すように働く。たとえば、モードインジケータ１０４０は、パケットがダウンリンク（ＤＬ）パケットであるのかアップリンク（ＵＬ）パケットであるのか、およびパケットがシングルユーザ（ＳＵ）パケットであるのかマルチユーザ（ＭＵ）パケットであるのか、特に、パケットがＵＬ  ＭＵ  ＯＦＤＭＡパケットであるかどうかを示すことができる。いくつかの実施形態では、モードインジケータ１０４０は、ＨＥ−ＳＩＧ１フィールドが存在するのかスキップされるのか、またはパケット内のＨＥ−ＳＴＦの位置を示すことができる。たとえば、送信モードがＵＬ  ＭＵ  ＯＦＤＭＡである実施形態では、ＨＥ−ＳＩＧ１フィールドはスキップされ得、ＨＥ−ＳＴＦはＨＥ−ＳＩＧ０フィールドの直後にくる（immediately follow）ことができる。
【００９６】
[00109]図示の実施形態では、モードインジケータ１０４０は２ビット長である。０ｂ００の値がＤＬモードを示し、０ｂ０１の値がＵＬ  ＳＵモードを示し、０ｂ１０の値がＵＬ  ＭＵおよびＯＦＤＭＡモードを示し、０ｂ１１の値が予約済みである。様々な実施形態では、他の値が使用され得る。様々な実施形態では、モードインジケータ１０４０は、１ビット長から４ビット長の間、１ビット長から４ビット長の間、または可変長であり得る。
【００９７】
[00110]末尾１０５０は、ＨＥ−ＳＩＧフィールド１０００の処理が完了することを可能にするように働くことができる。たとえば、末尾１０５０は、畳み込みコードが完了することを可能にすることができる。様々な実施形態では、末尾１０５０はすべて０に設定され得る。図示の実施形態では、末尾１０５０は６ビット長である。様々な実施形態では、末尾１０５０は、４ビット長から８ビット長の間、２ビット長から１０ビット長の間、または可変長であり得る。
【００９８】
[00111]図１１は、様々な実施形態における信号対雑音比（ＳＮＲ）の関数としての例示的なパケット誤り率（ＰＥＲ）を示すグラフである。図１１に示されているように、ｘ軸はワイヤレス環境のＳＮＲを表し、ｙ軸は例示的な２０ＭＨｚチャネルのための関連するＰＥＲを示す。１シンボルＬ−ＳＩＧと、偶数トーン繰返しを有するＬ−ＳＩＧと、ＭＳＣ０を使用し、４ｘシンボル持続時間を有する１０バイトパケットとの実施形態についての結果が示されている。図示の例では、１シンボルＬ−ＳＩＧ実施形態は、約１０ｄＢよりも大きいＳＮＲについてデータ実施形態（data embodiment）よりも低いＰＥＲを有する。
データを搬送するためのエッジトーンの使用
[00112]上記で説明されたように、本出願は、データをシグナリングするためにエッジトーン（たとえば、図９Ｂに示されている各２０ＭＨｚセクション間のエッジトーン）を利用することを企図する。様々な実施形態では、エッジトーンは、Ｌ−ＬＴＦシンボル（たとえば、図９ＢのＬ−ＬＴＦ９０４）上で開始するデータをシグナリングするために使用され得る。他の実施形態では、エッジトーンは、Ｌ−ＳＩＧシンボル（たとえば、図９ＢのＬ−ＳＩＧ９０６）上で開始するデータをシグナリングするために使用され得る。したがって、いくつかの実施形態では、各２０ＭＨｚ送信は、１つまたは複数の早期の（early）フィールドのために５２個のデータトーン（＋４つのヌルエッジトーン）を使用し、１つまたは複数の後の（later）フィールドのために（データを搬送する４つのエッジトーンを含む）５６個のデータトーンを使用することができる。様々な実施形態では、データを搬送するエッジトーンは「余剰トーン」と呼ばれることがある。
【００９９】
[00113]エッジトーンが、Ｌ−ＬＴＦシンボル上で開始するデータをシグナリングするために使用される実施形態では、データを搬送するエッジトーンは、（たとえば、図１０に関して）本明細書で説明されるモード検出目的のために使用され得る。したがって、余剰トーン上の極性が、情報の１ビットを搬送するために使用され得る。他の実施形態では、余剰トーンは、チャネル推定目的のために使用され得る。
【０１００】
[00114]様々な実施形態では、余剰トーンは、Ｌ−ＬＴＦシーケンスの代わりに、２０ＭＨｚのためのＨＴ−ＬＴＦシーケンスの使用を可能にすることができる。たとえば、余剰トーンは、元の（original）Ｌ−ＬＴＦシーケンスと組み合わせて、ＨＴ−ＬＴＦを形成することができる、ＨＴ−ＬＴＦシーケンスの少なくとも一部分を含むことができる。
【０１０１】
[00115]余剰トーンがチャネル推定のために使用される実施形態では、複数のチャネル推定パターンが採用され得る。特定のチャネル推定パターンの選択が、追加のデータをさらに（further）搬送することができる。たとえば、［１  −１  １  −１］の余剰トーン極性が０ｂ０を示すことができ、［−１  １  −１  １］の余剰トーン極性が０ｂ１を示すことができ、以下同様である。したがって、Ｌ−ＳＩＧフィールド上の余剰４エッジトーンが、データの２つの余剰ビットを搬送するために使用され得る。いくつかの実施形態では、そのようなデータは、Ｌ−ＳＩＧ符号化の完全性を保存するために、ＨＥ−ＳＩＧ０とジョイント符号化され得る。
【０１０２】
[00116]エッジトーンが、Ｌ−ＳＩＧシンボル上で開始するデータをシグナリングするために使用される実施形態では、データを搬送するエッジトーンは、チャネル推定のために使用され得る。本明細書で説明されるように、複数のチャネル推定パターンが採用され得る。特定のチャネル推定パターンの選択が、追加のデータをさらに搬送することができる。たとえば、［１  −１  １  −１］の余剰トーン極性が０ｂ０を示すことができ、［−１  １  −１  １］の余剰トーン極性が０ｂ１を示すことができ、以下同様である。様々な実施形態では、チャネル推定を与える余剰トーン上の所定のビットが、ＨＥ−ＳＩＧ０／１上の情報を搬送するために使用され得る。
【０１０３】
[00117]エッジトーンが、Ｌ−ＳＩＧシンボル上で開始するデータをシグナリングするために使用される一実施形態では、４つの余剰トーンが採用され、各２０ＭＨｚサブチャネルの各エッジ上に２つの余剰トーンがあり得る。余剰トーンは、Ｌ−ＳＩＧ、ＲＬ−ＳＩＧ、ＨＥ−ＳＩＧ−Ａ、およびＨＥ−ＳＩＧ−Ｂフィールド（たとえば、図９ＢのＬ−ＳＩＧフィールド９０６、ＲＬ−ＳＩＧフィールド９０７、ＨＥ−ＳＩＧ−Ａフィールド９０８、およびＨＥ−ＳＩＧ−Ｂ９１８のうちの１つまたは複数）の送信に適用され得る。したがって、いくつかの実施形態では、ＨＥ−ＳＩＧ−ＡおよびＨＥ−ＳＩＧ−Ｂフィールド中のデータサブキャリアの数（ＮSD）が、各２０ＭＨｚサブチャネル中で４だけ増加され得る。その上、送信機は、（たとえば、Ｌ−ＬＴＦがブーストされていない場合に）Ｌ−ＬＴＦフィールドと同じ総電力を、Ｌ−ＳＩＧ、ＲＬ−ＳＩＧ、ＨＥ−ＳＩＧ−ＡおよびＨＥ−ＳＩＧ−Ｂフィールド上で維持することができる。Ｌ−ＳＩＧおよびＲＬ−ＳＩＧフィールドに追加された各余剰トーンは、所定のＢＰＳＫコンスタレーション（たとえば、±１）を用いて送信され得る。
【０１０４】
[00118]一実施形態では、所定のチャネル推定パターンは、下側（左側）余剰トーンについて正値を含み、上側（右側）余剰トーンについて負値を含むことができる。たとえば、余剰トーン値は、各２０ＭＨｚサブチャネルのためのトーンインデックス−２８および−２７について［＋１  ＋１］であり、各２０ＭＨｚサブチャネルのためのトーンインデックス２７および２８について［−１  −１］であり得る。
【０１０５】
[00119]別の実施形態では、所定のチャネル推定パターンは、Ｌ−ＳＩＧおよび／またはＲＬ−ＳＩＧ上のピーク対平均電力比（ＰＡＰＲ）を最小限に抑えるのに十分な値を含むことができる。様々な実施形態では、データシンボルのＰＡＰＲが、ＳＩＧシンボルのＰＡＰＲよりも高くなり得る。
【０１０６】
[00120]図１２は、図１のワイヤレス通信システム１００内で採用され得るワイヤレス通信の例示的な方法のためのフローチャート１２００を示す。本方法は、図２に示されているワイヤレスデバイス２０２など、本明細書で説明されるデバイスによって全体的にまたは部分的に実装され得る。本明細書では、図示された方法は、図１に関して上記で説明されたワイヤレス通信システム１００、図８〜図９に関して上記で説明されたパケット８００および９００Ａ〜９００Ｂ、ならびに図１０に関して上記で説明されたＨＥ−ＳＩＧフィールド１０００を参照しながら説明されるが、図示された方法は、本明細書で説明される別のデバイス、または任意の他の好適なデバイスによって実装され得ることを、当業者は諒解されよう。本明細書では、図示された方法が、特定の順序に関して説明されるが、様々な実施形態では、本明細書のブロックは、異なる順序で実施されるか、または省略され得、さらなるブロックが追加され得る。
【０１０７】
[00121]最初に、ブロック１２１０において、ワイヤレスデバイスは、第１の数のトーン上の第１のフィールドと、第２の数のトーン上の第２のフィールドとを含むパケットを受信し、第２の数のトーンは、データを搬送する１つまたは複数のエッジトーンの数だけ、第１の数のトーンよりも大きい。たとえば、ＳＴＡ１０６は、ＡＰ１０４からパケット８００または９００Ａ〜９００Ｂを受信することができる。パケット８００は、第１の信号フィールドとしてＬ−ＳＴＦ９０２またはＬ−ＬＴＦ９０４を含み、第２の信号フィールドとしてＬ−ＬＴＦ９０４またはＬ−ＳＩＧ９０６を含むことができる。
【０１０８】
[00122]様々な実施形態では、第１の数は５２であり、第２の数は５６である。たとえば、パケット８００の各２０ＭＨｚ部分は、５２個のデータトーンと４つのエッジトーンとを含むことができる。４つのエッジトーンが、データ信号を搬送するための余剰トーンとして使用されるとき、５６個のデータトーンが使用される。
【０１０９】
[00123]様々な実施形態では、第１のフィールドはレガシーショートトレーニングフィールドを含み、第２のフィールドはレガシーロングトレーニングフィールドを備える。たとえば、第１のフィールドは、５２個のデータトーンと４つのエッジトーンとを含むことができるＬ−ＳＴＦ９０２であり得る。第２のフィールドは、（データを搬送する４つのエッジトーンを含む）５６個のデータトーンを使用することができるＬ−ＬＴＦ９０４を含むことができる。様々な実施形態では、第２のフィールドの後のフィールドは、５６個のデータトーンを含むことができる。
【０１１０】
[00124]様々な実施形態では、データを搬送する１つまたは複数のエッジトーンの極性が、後続のフィールドの変調およびコーディング方式（ＭＣＳ）、遅延拡散保護モード、ならびにパケット送信モードのうちの少なくとも１つを示す。様々な実施形態では、データを搬送する１つまたは複数のエッジトーンの極性が、高スループットロングトレーニングシーケンスの少なくとも一部分を示す。様々な実施形態では、１つまたは複数のエッジトーンのパターンが追加のデータを示す。
【０１１１】
[00125]様々な実施形態では、本方法は、第２の数のトーン上でレガシー信号フィールドを受信することをさらに含むことができる。レガシー信号フィールドの１つまたは複数のエッジトーンは、データを搬送することができる。たとえば、ＳＴＡ１０６は、５２個の通常（regular）データトーン上でＬ−ＳＩＧデータを搬送し、４つのエッジトーン上で追加のデータを搬送することができる、Ｌ−ＳＩＧ９０６を受信することができる。
【０１１２】
[00126]様々な実施形態では、第１のフィールドはレガシーロングトレーニングフィールドを含むことができ、第２のフィールドはレガシー信号フィールドを備える。たとえば、第１のフィールドは、５２個のデータトーンと４つのエッジトーンとを含むことができるＬ−ＬＴＦ９０４であり得る。第２のフィールドは、（データを搬送する４つのエッジトーンを含む）５６個のデータトーンを使用することができるＬ−ＳＩＧ９０６を含むことができる。様々な実施形態では、第２のフィールドの後のフィールドは、５６個のデータトーンを含むことができる。様々な実施形態では、データを搬送する１つまたは複数のエッジトーンは、チャネル推定のために使用され得る。１つまたは複数のエッジトーンのパターンが追加のデータを示すことができる。
【０１１３】
[00127]様々な実施形態では、１つまたは複数のエッジトーンは、複数の２０ＭＨｚサブチャネルの各々の各下側エッジにおいて２つの正極性トーンを含み、複数の２０ＭＨｚサブチャネルの各々の各上側エッジにおいて２つの負極性トーンを含むことができる。様々な実施形態では、１つまたは複数のエッジトーンは、複数の２０ＭＨｚサブチャネルの各々の各エッジにおいて２つのトーンを含むことができ、１つまたは複数のエッジトーンは、第２のフィールドの送信中のピーク対平均電力比を最小限に抑えるのに十分な値を有する。
【０１１４】
[00128]次に、ブロック１２２０において、ワイヤレスデバイスは、データを搬送する１つまたは複数のエッジトーンに少なくとも部分的に基づいて、通信モードおよびチャネル推定のうちの少なくとも１つを決定する。たとえば、１つまたは複数のエッジトーンは、パケットがＨＥパケットであることを示すことができるか、あるいは別の通信プロトコル、ＭＣＳ、またはモードを示すことができる。
【０１１５】
[00129]一実施形態では、図１２に示された方法は、受信回路と決定回路とを含むことができるワイヤレスデバイスにおいて実装され得る。ワイヤレスデバイスは、本明細書で説明される簡略化されたワイヤレスデバイスよりも多くの構成要素を有することができることを、当業者は諒解されよう。本明細書で説明されるワイヤレスデバイスは、いくつかの（certain）実装形態のいくつかの（some）特徴について説明するのに有用な構成要素を含む。
【０１１６】
[00130]受信回路は、パケットを受信するように構成され得る。いくつかの実施形態では、受信回路は、図１２の少なくともブロック１２１０を実施するように構成され得る。送信回路は、受信機２１２（図２）、アンテナ２１６（図２）、およびトランシーバ２１４（図２）のうちの１つまたは複数を含むことができる。いくつかの実装形態では、受信するための手段は受信回路を含むことができる。
【０１１７】
[00131]決定回路は、パケットの送信モードを決定するように構成され得る。いくつかの実施形態では、決定回路は、図１２の少なくともブロック１２２０を実施するように構成され得る。決定回路は、プロセッサ２０４（図２）、メモリ２０６（図２）、およびＤＳＰ２２０（図２）のうちの１つまたは複数を含むことができる。いくつかの実装形態では、決定するための手段は決定回路を含むことができる。
【０１１８】
[00132]図１３は、図１のワイヤレス通信システム１００内で採用され得るワイヤレス通信の例示的な方法のためのフローチャート１３００を示す。本方法は、図２に示されているワイヤレスデバイス２０２など、本明細書で説明されるデバイスによって全体的にまたは部分的に実装され得る。本明細書では、図示された方法は、図１に関して上記で説明されたワイヤレス通信システム１００、図８〜図９に関して上記で説明されたパケット８００および９００Ａ、ならびに図１０に関して上記で説明されたＨＥ−ＳＩＧフィールド１０００を参照しながら説明されるが、図示された方法は、本明細書で説明される別のデバイス、または任意の他の好適なデバイスによって実装され得ることを、当業者は諒解されよう。本明細書では、図示された方法が、特定の順序に関して説明されるが、様々な実施形態では、本明細書のブロックは、異なる順序で実施されるか、または省略され得、さらなるブロックが追加され得る。
【０１１９】
[00133]最初に、ブロック１３１０において、ワイヤレスデバイスは、第１の数のトーン上の第１のフィールドと、第２の数のトーン上の第２のフィールドとを含むパケットを生成し、第２の数のトーンは、データを搬送する１つまたは複数のエッジトーンの数だけ、第１の数のトーンよりも大きい。データを搬送する１つまたは複数のエッジトーンは、データを搬送する１つまたは複数のエッジトーンに少なくとも部分的に基づいて、通信モードおよびチャネル推定のうちの少なくとも１つを示す。たとえば、ＡＰ１０５はパケット８００または９００Ａを生成することができる。パケット８００は、第１の信号フィールドとしてＬ−ＳＴＦ９０２またはＬ−ＬＴＦ９０４を含み、第２の信号フィールドとしてＬ−ＬＴＦ９０４またはＬ−ＳＩＧ９０６を含むことができる。
【０１２０】
[00134]様々な実施形態では、第１の数は５２であり、第２の数は５６である。たとえば、パケット８００の各２０ＭＨｚ部分は、５２個のデータトーンと４つのエッジトーンとを含むことができる。４つのエッジトーンが、データ信号を搬送するための余剰トーンとして使用されるとき、５６個のデータトーンが使用される。
【０１２１】
[00135]様々な実施形態では、第１のフィールドはレガシーショートトレーニングフィールドを含み、第２のフィールドはレガシーロングトレーニングフィールドを備える。たとえば、第１のフィールドは、５２個のデータトーンと４つのエッジトーンとを含むことができるＬ−ＳＴＦ９０２であり得る。第２のフィールドは、（データを搬送する４つのエッジトーンを含む）５６個のデータトーンを使用することができるＬ−ＬＴＦ９０４を含むことができる。様々な実施形態では、第２のフィールドの後のフィールドは、５６個のデータトーンを含むことができる。
【０１２２】
[00136]様々な実施形態では、データを搬送する１つまたは複数のエッジトーンの極性が、後続のフィールドの変調およびコーディング方式（ＭＣＳ）、遅延拡散保護モード、ならびにパケット送信モードのうちの少なくとも１つを示す。様々な実施形態では、データを搬送する１つまたは複数のエッジトーンの極性が、高スループットロングトレーニングシーケンスの少なくとも一部分を示す。様々な実施形態では、１つまたは複数のエッジトーンのパターンが追加のデータを示す。
【０１２３】
[00137]様々な実施形態では、本方法は、第２の数のトーン上でレガシー信号フィールドを送信することをさらに含むことができる。レガシー信号フィールドの１つまたは複数のエッジトーンは、データを搬送することができる。たとえば、ＡＰ１０４は、５２個の通常データトーン上でＬ−ＳＩＧデータを搬送し、４つのエッジトーン上で追加のデータを搬送することができる、Ｌ−ＳＩＧ９０６を送信することができる。
【０１２４】
[00138]様々な実施形態では、第１のフィールドはレガシーロングトレーニングフィールドを含むことができ、第２のフィールドはレガシー信号フィールドを備える。たとえば、第１のフィールドは、５２個のデータトーンと４つのエッジトーンとを含むことができるＬ−ＬＴＦ９０４であり得る。第２のフィールドは、（データを搬送する４つのエッジトーンを含む）５６個のデータトーンを使用することができるＬ−ＳＩＧ９０６を含むことができる。様々な実施形態では、第２のフィールドの後のフィールドは、５６個のデータトーンを含むことができる。様々な実施形態では、データを搬送する１つまたは複数のエッジトーンは、チャネル推定のために使用され得る。１つまたは複数のエッジトーンのパターンが追加のデータを示すことができる。
【０１２５】
[00139]様々な実施形態では、１つまたは複数のエッジトーンは、複数の２０ＭＨｚサブチャネルの各々の各下側エッジにおいて２つの正極性トーンを含み、複数の２０ＭＨｚサブチャネルの各々の各上側エッジにおいて２つの負極性トーンを含むことができる。様々な実施形態では、１つまたは複数のエッジトーンは、複数の２０ＭＨｚサブチャネルの各々の各エッジにおいて２つのトーンを含むことができ、１つまたは複数のエッジトーンは、第２のフィールドの送信中のピーク対平均電力比を最小限に抑えるのに十分な値を有する。
【０１２６】
[00140]次に、ブロック１３２０において、ワイヤレスデバイスは、通信モードに従ってパケットを送信する。たとえば、ＡＰ１０４は、ＳＴＡ１０６にパケット８００または９００Ａを送信することができる。余剰トーンは、伝送（transmission）プロトコル、ＭＣＳ、通信モードなどを示すことができる。
【０１２７】
[00141]一実施形態では、図１３に示されている方法は、生成回路と送信回路とを含むことができるワイヤレスデバイスにおいて実装され得る。ワイヤレスデバイスは、本明細書で説明される簡略化されたワイヤレスデバイスよりも多くの構成要素を有することができることを、当業者は諒解されよう。本明細書で説明されるワイヤレスデバイスは、特許請求の範囲内の実装形態のいくつかの顕著な特徴について説明するのに有用な構成要素のみを含む。
【０１２８】
[00142]生成回路は、パケットを生成するように構成され得る。いくつかの実施形態では、生成回路は、図１３の少なくともブロック１３１０を実施するように構成され得る。生成回路は、プロセッサ２０４（図２）、メモリ２０６（図２）、およびＤＳＰ２２０（図２）のうちの１つまたは複数を含むことができる。いくつかの実装形態では、生成するための手段は生成回路を含むことができる。
【０１２９】
[00143]送信回路は、パケットを送信するように構成され得る。いくつかの実施形態では、送信回路は、図１３の少なくともブロック１３２０を実施するように構成され得る。送信回路は、受信機２１２（図２）、アンテナ２１６（図２）、およびトランシーバ２１４（図２）のうちの１つまたは複数を含むことができる。いくつかの実装形態では、送信するための手段は送信回路を含むことができる。
【０１３０】
[00144]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１３１】
[00145]本開示で説明された実装形態への様々な修正は当業者には容易に明らかであり得、本明細書で定義された一般原理は、本開示の趣旨または範囲から逸脱することなく他の実装形態に適用され得る。したがって、本開示は、本明細書で示された実装形態に限定されるものではなく、本明細書で開示される特許請求の範囲、原理および新規の特徴に一致する、最も広い範囲を与られるべきである。「例示的」という単語は、本明細書ではもっぱら「例、事例、または例示の働きをすること」を意味するために使用される。「例示的」として本明細書で説明されたいかなる実装形態も、必ずしも他の実装形態よりも好ましいまたは有利であると解釈されるべきであるとは限らない。
【０１３２】
[00146]本明細書で使用される、項目のリスト「のうちの少なくとも１つ」を指す句は、単一のメンバーを含む、それらの項目の任意の組合せを指す。第１の例として、「ａおよびｂのうちの少なくとも１つ」（同じく「ａまたはｂ」）は、ａ、ｂ、およびａ−ｂ、ならびに複数の同じ要素をもつ任意の組合せ（たとえば、ａ−ａ、ａ−ａ−ａ、ａ−ａ−ｂ、ａ−ｂ−ｂ、ｂ−ｂ、ｂ−ｂ−ｂ、またはａおよびｂの任意の他の順序）を包含するものとする。第２の例として、「ａ、ｂ、およびｃのうちの少なくとも１つ」（同じく「ａ、ｂ、またはｃ」）は、ａ、ｂ、ｃ、ａ−ｂ、ａ−ｃ、ｂ−ｃ、およびａ−ｂ−ｃ、ならびに複数の同じ要素をもつ任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。
【０１３３】
[00147]また、別個の実装形態に関して本明細書で説明されたいくつかの特徴は、単一の実装形態において組合せで実装され得る。また、逆に、単一の実装形態に関して説明された様々な特徴は、複数の実装形態において別個に、あるいは任意の好適な部分組合せで実装され得る。その上、特徴は、いくつかの組合せで働くものとして上記で説明され、初めにそのように請求されることさえあるが、請求される組合せからの１つまたは複数の特徴は、いくつかの場合にはその組合せから削除され得、請求される組合せは、部分組合せ、または部分組合せの変形形態を対象とし得る。
【０１３４】
[00148]上記で説明された方法の様々な動作は、（１つまたは複数の）様々なハードウェアおよび／またはソフトウェア構成要素、回路、および／または（１つまたは複数の）モジュールなど、それらの動作を実施することが可能な任意の好適な手段によって実施され得る。概して、図に示されているどの動作も、その動作を実施することが可能な対応する機能的手段によって実施され得る。
【０１３５】
[00149]本開示に関連して説明された様々な例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明された機能を実施するように設計されたそれらの任意の組合せを用いて実装または実施され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成として実装され得る。
【０１３６】
[00150]１つまたは複数の態様では、説明された機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を含むことができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を含むことができる。さらに、いくつかの態様では、コンピュータ可読媒体は一時的コンピュータ可読媒体（たとえば、信号）を含むことができる。上記の組合せも、コンピュータ可読媒体の範囲内に含まれるべきである。
【０１３７】
[00151]本明細書で開示される方法は、説明された方法を達成するための１つまたは複数のステップまたはアクションを含む。本方法のステップおよび／またはアクションは、特許請求の範囲から逸脱することなく互いに交換され得る。言い換えれば、ステップまたはアクションの特定の順序が指定されていない限り、特定のステップおよび／またはアクションの順序および／または使用は、特許請求の範囲から逸脱することなく変更され得る。
【０１３８】
[00152]さらに、本明細書で説明された方法および技法を実施するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明された方法を実施するための手段の転送を可能にするためにサーバに結合され得る。代替的に、本明細書で説明された様々な方法は、ユーザ端末および／または基地局が記憶手段（たとえば、ＲＡＭ、ＲＯＭ、コンパクトディスク（ＣＤ）またはフロッピーディスクなどの物理記憶媒体など）をデバイスに結合するかまたは与えると様々な方法を得ることができるように、記憶手段によって提供され得る。その上、本明細書で説明された方法および技法をデバイスに提供するための任意の他の好適な技法が利用され得る。
【０１３９】
[00153]上記は本開示の態様を対象とするが、本開示の他の態様およびさらなる態様は、それの基本的範囲から逸脱することなく考案され得、それの範囲は以下の特許請求の範囲によって決定される。
以下に本願の出願当初の特許請求の範囲に記載された発明を付記する。
［Ｃ１］
第１の数のデータトーン上で符号化されたトレーニングフィールドと、
前記トレーニングフィールドに隣接する１つまたは複数のエッジトーンと、
第２の数のデータトーン上で符号化された信号フィールドと、ここにおいて、前記信号フィールドが、チャネル推定値を搬送する前記１つまたは複数のエッジトーンを含む、
を備えるパケットをワイヤレスデバイスにおいて生成することと、
第２のデバイスへの送信のために前記パケットを出力することと
を備える、ワイヤレス通信の方法。
［Ｃ２］
前記第１の数が５２であり、前記第２の数が５６である、Ｃ１に記載の方法。
［Ｃ３］
前記トレーニングフィールドがレガシーショートトレーニングフィールドを備え、前記信号フィールドがレガシー信号フィールドを備える、Ｃ１に記載の方法。
［Ｃ４］
データを搬送する前記１つまたは複数のエッジトーンの極性が、後続のフィールドの変調およびコーディング方式（ＭＣＳ）、遅延拡散保護モード、ならびにパケット送信モードのうちの少なくとも１つを示す、Ｃ３に記載の方法。
［Ｃ５］
データを搬送する前記１つまたは複数のエッジトーンの極性が、高スループットロングトレーニングシーケンスの少なくとも一部分を示す、Ｃ１に記載の方法。
［Ｃ６］
前記１つまたは複数のエッジトーンのパターンが追加のデータを示す、Ｃ３に記載の方法。
［Ｃ７］
前記第２の数のトーン上で、繰り返されるレガシー信号フィールドを送信することをさらに備え、ここにおいて、前記繰り返されるレガシー信号フィールドの前記１つまたは複数のエッジトーンがデータを搬送する、Ｃ３に記載の方法。
［Ｃ８］
前記トレーニングフィールドがレガシーロングトレーニングフィールドを備え、前記信号フィールドがレガシー信号フィールドを備える、Ｃ１に記載の方法。
［Ｃ９］
前記１つまたは複数のエッジトーンのパターンが追加のデータを示す、Ｃ８に記載の方法。
［Ｃ１０］
前記１つまたは複数のエッジトーンが、複数の２０ＭＨｚサブチャネルの各々の各下側エッジにおいて２つの正極性トーンを備え、前記複数の２０ＭＨｚサブチャネルの各々の各上側エッジにおいて２つの負極性トーンを備える、Ｃ９に記載の方法。
［Ｃ１１］
前記１つまたは複数のエッジトーンが、複数の２０ＭＨｚサブチャネルの各々の各エッジにおいて２つのトーンを備え、前記１つまたは複数のエッジトーンが、前記第２のフィールドの送信中のピーク対平均電力比を最小限に抑えるのに十分な値を有する、Ｃ９に記載の方法。
［Ｃ１２］
命令を記憶するメモリと、
前記メモリと結合され、パケットを生成するために前記命令を実行するように構成されたプロセッサと、ここにおいて、前記パケットは、
第１の数のデータトーン上で符号化されたトレーニングフィールドと、
前記トレーニングフィールドに隣接する１つまたは複数のエッジトーンと、
第２の数のデータトーン上で符号化された信号フィールドと、ここにおいて、前記信号フィールドが、チャネル推定値を搬送する前記１つまたは複数のエッジトーンを含む、
を備える、
前記パケットを第２のデバイスに送信するように構成された送信機と
を備える、ワイヤレス通信するように構成された装置。
［Ｃ１３］
前記第１の数が５２であり、前記第２の数が５６である、Ｃ１２に記載の装置。
［Ｃ１４］
前記トレーニングフィールドがレガシーショートトレーニングフィールドを備え、前記信号フィールドがレガシー信号フィールドを備える、Ｃ１２に記載の装置。
［Ｃ１５］
データを搬送する前記１つまたは複数のエッジトーンの極性が、後続のフィールドの変調およびコーディング方式（ＭＣＳ）、遅延拡散保護モード、ならびにパケット送信モードのうちの少なくとも１つを示す、Ｃ１４に記載の装置。
［Ｃ１６］
データを搬送する前記１つまたは複数のエッジトーンの極性が、高スループットロングトレーニングシーケンスの少なくとも一部分を示す、Ｃ１２に記載の装置。
［Ｃ１７］
前記１つまたは複数のエッジトーンのパターンが追加のデータを示す、Ｃ１４に記載の装置。
［Ｃ１８］
前記送信機が、前記第２の数のトーン上で、繰り返されるレガシー信号フィールドを送信するようにさらに構成され、ここにおいて、前記繰り返されるレガシー信号フィールドの前記１つまたは複数のエッジトーンがデータを搬送する、Ｃ１４に記載の装置。
［Ｃ１９］
前記トレーニングフィールドがレガシーロングトレーニングフィールドを備え、前記信号フィールドがレガシー信号フィールドを備える、Ｃ１２に記載の装置。
［Ｃ２０］
前記１つまたは複数のエッジトーンのパターンが追加のデータを示す、Ｃ１９に記載の装置。
［Ｃ２１］
前記１つまたは複数のエッジトーンが、複数の２０ＭＨｚサブチャネルの各々の各下側エッジにおいて２つの正極性トーンを備え、前記複数の２０ＭＨｚサブチャネルの各々の各上側エッジにおいて２つの負極性トーンを備える、Ｃ２０に記載の装置。
［Ｃ２２］
前記１つまたは複数のエッジトーンが、複数の２０ＭＨｚサブチャネルの各々の各エッジにおいて２つのトーンを備え、前記１つまたは複数のエッジトーンが、前記第２のフィールドの送信中のピーク対平均電力比を最小限に抑えるのに十分な値を有する、Ｃ２０に記載の装置。
［Ｃ２３］
第１の数のデータトーン上で符号化されたトレーニングフィールドと、
前記トレーニングフィールドに隣接する１つまたは複数のエッジトーンと、
第２の数のデータトーン上で符号化された信号フィールドと、ここにおいて、前記信号フィールドが、チャネル推定値を搬送する前記１つまたは複数のエッジトーンを含む、
を備えるパケットを生成するための手段と、
第２のデバイスへの送信のために前記パケットを出力するための手段と
を備える、ワイヤレス通信のための装置。
［Ｃ２４］
前記第１の数が５２であり、前記第２の数が５６である、Ｃ２３に記載の装置。
［Ｃ２５］
前記トレーニングフィールドがレガシーショートトレーニングフィールドを備え、前記信号フィールドがレガシー信号フィールドを備える、Ｃ２３に記載の装置。
［Ｃ２６］
データを搬送する前記１つまたは複数のエッジトーンの極性が、後続のフィールドの変調およびコーディング方式（ＭＣＳ）、遅延拡散保護モード、ならびにパケット送信モードのうちの少なくとも１つを示す、Ｃ２５に記載の装置。
［Ｃ２７］
データを搬送する前記１つまたは複数のエッジトーンの極性が、高スループットロングトレーニングシーケンスの少なくとも一部分を示す、Ｃ２３に記載の装置。
［Ｃ２８］
前記１つまたは複数のエッジトーンのパターンが追加のデータを示す、Ｃ２５に記載の装置。
［Ｃ２９］
前記第２の数のトーン上で、繰り返されるレガシー信号フィールドを送信するための手段をさらに備え、ここにおいて、前記繰り返されるレガシー信号フィールドの前記１つまたは複数のエッジトーンがデータを搬送する、Ｃ２５に記載の装置。
［Ｃ３０］
実行されたとき、装置に、
第１の数のデータトーン上で符号化されたトレーニングフィールドと、
前記トレーニングフィールドに隣接する１つまたは複数のエッジトーンと、
第２の数のデータトーン上で符号化された信号フィールドと、ここにおいて、前記信号フィールドが、チャネル推定値を搬送する前記１つまたは複数のエッジトーンを含む、
を備えるパケットを生成することと、
第２のデバイスへの送信のために前記パケットを出力することと
を行わせるコードを備える非一時的コンピュータ可読媒体。
【図１】
0006750024.tif 000002
【図２】
0006750024.tif 000003
【図３】
0006750024.tif 000004
【図４】
0006750024.tif 000005
【図５】
0006750024.tif 000006
【図６】
0006750024.tif 000007
【図７】
0006750024.tif 000008
【図８】
0006750024.tif 000009
【図９Ａ】
0006750024.tif 000010
【図９Ｂ】
0006750024.tif 000011
【図１０】
0006750024.tif 000012
【図１１】
0006750024.tif 000013
【図１２】
0006750024.tif 000014
【図１３】
0006750024.tif 000015